(57)【要約】【課題】空調対象外の屋内の共通空間の空気を複数の空気調和機の熱交換に用いて熱交換効率を向上させることのできる空気調和システムを提供する。【解決手段】複数の空気調和機２１〜２５は、天井裏ＡＴの空気を複数の熱源側熱交換器に用いる。第１換気部４１と第２換気部４２では、第１換気口４３と第２換気口４４を通して屋外９９と天井裏ＡＴとの間で空気が通気される。第１換気ファン４６と第２換気ファン４７は、屋外９９から入って第１換気口４３と第２換気口４４との間を流れて屋外９９に吹き出される気流を生じさせる。コントローラ３０は、天井裏ＡＴの周囲の屋外９９の気温に基づいて第１換気口４３と第２換気口４４との間を流れる空気の天井裏ＡＴ内における経路を変更する。【選択図】図２
2018096600.tif 000002
【特許請求の範囲】
【請求項１】
屋内の空調対象空間の空調を行うために、前記空調対象空間の周囲の前記屋内に配置されている空調対象外の共通空間の空気との間で熱交換を行う空気調和システム（１０）であって、
前記空調対象空間の空気と熱交換を行う利用側熱交換器（６１）、前記利用側熱交換器との間で熱の伝達が行われる熱源側熱交換器（６２）、及び前記共通空間から取り入れられる空気を前記熱源側熱交換器に流して前記共通空間に吹き出させる熱源側ファン（６３）を有し、前記共通空間の空気を複数の前記熱源側熱交換器に用いる複数の空気調和機（２１〜２５，２１Ａ〜２５Ａ）と、
屋外と前記共通空間との間の第１境界に設けられた第１換気口（４３，１４３，２４３，２４４，２６１，２６２）を有し、前記第１換気口を通して前記屋外と前記共通空間との間で空気を通気させるための第１換気部（４１，１４１，２４１）と、
前記屋外と前記共通空間との間の第２境界に設けられた第２換気口（４４，１４５，１４６，２４５，２４６，２６３，２６４）を有し、前記第２換気口を通して前記屋外と前記共通空間との間で空気を通気させるための第２換気部（４２，１４２，２４２）と、
前記屋外から入って前記第１換気口と前記第２換気口との間を流れて前記屋外に吹き出される気流を生じさせるための少なくとも一つの換気ファン（４６，２７１，２７２４７，２７３，２７４，１３０，２３１，２３２）と、
前記第１換気部、前記第２換気部及び前記換気ファンのうちの少なくとも一つを制御する制御装置（３０）と
を備え、
前記制御装置は、前記共通空間内の気温及び／又は前記共通空間の周囲の前記屋外の気温に基づいて前記第１換気口と前記第２換気口との間を流れる空気の前記共通空間内における経路を変更する、空気調和システム。
【請求項２】
前記制御装置は、前記第１換気口から前記第２換気口に向かう空気の流れと前記第２換気口から前記第１換気口に向かう空気の流れとを切り換えることにより前記共通空間内における空気の経路を変更する、
請求項１に記載の空気調和システム。
【請求項３】
前記制御装置は、前記第１換気部及び／または前記第２換気部を制御して前記第１換気口及び／または前記第２換気口の開閉を切り換えることにより前記共通空間内における空気の経路を変更する、
請求項１又は請求項２に記載の空気調和システム。
【請求項４】
前記第１換気部及び前記第２換気部のうちの少なくとも一方は、前記第１換気口を開閉するための第１シャッター（４８，４８ａ〜４８ｃ，１５４，２５１，２５２）及び前記第２換気口を開閉するための第２シャッター（４９，４９ａ〜４９ｃ，１５５，２５５，２５６）のうちの少なくとも一方を有し、
前記制御装置は、前記第１シャッター及び前記第２シャッターのうちの少なくとも一方の開閉の切り換えを制御することにより、前記第１換気口と前記第２換気口との間を流れる空気の前記共通空間内における経路を変更する、
請求項３に記載の空気調和システム。
【請求項５】
前記少なくとも一つの換気ファンは、前記第１換気口の近傍に配置された第１換気ファン（４６，２７１，２７２）と、前記第２換気口の近傍に配置された第２換気ファン（４７，２７３，２７４）とを含み、
前記制御装置は、前記第１換気ファンと前記第２換気ファンのオンとオフとを切り換えることにより、前記第１換気口と前記第２換気口との間を流れる空気の前記共通空間内における経路を変更する、
請求項１から４のいずれか一項に記載の空気調和システム。
【請求項６】
前記第１換気部及び前記第２換気部のうちの少なくとも一方は、前記第１換気口に続く複数の通風路を切り換え可能に構成された第１通風路切換装置（２５３，２５４）及び前記第２換気口に続く複数の通風路を切り換え可能に構成された第２通風路切換装置（１０３，１０４，２５７，２５８）のうちの少なくとも一方を有し、
前記制御装置は、前記第１通風路切換装置及び前記第２通風路切換装置のうちの少なくとも一方の切り換えを制御することにより、前記第１換気口と前記第２換気口との間を流れる空気の前記共通空間内における経路を変更する、
請求項１から５のいずれか一項に記載の空気調和システム。
【請求項７】
前記制御装置は、前記共通空間に前記熱源側熱交換器が放熱する場合には前記第１換気口と前記第２換気口のうち前記屋外の気温が低い側から吸気し、前記共通空間から前記熱源側熱交換器が吸熱する場合には前記第１換気口と前記第２換気口のうち前記屋外の気温が高い側から吸気するように、前記第１換気口と前記第２換気口との間を流れる空気の前記共通空間内における経路を変更する、
請求項１から６のいずれか一項に記載の空気調和システム。
【発明の詳細な説明】
【技術分野】
【０００１】
本発明は、空気調和システム、特に、屋内の空調対象空間の空調を行うために、空調対象空間の周囲の屋内に配置されている空調対象外の共通空間の空気との間で熱交換を行う空気調和システムに関する。
【背景技術】
【０００２】
従来から、空調対象外の天井室などの屋内の共通空間を活用して空気調和を行う複数の小型一体型空気調和機を用いた空気調和システムが提案されている。例えば特許文献１（特開昭４８−２７５６号公報）に記載されている一体型空気調和機は、冷凍サイクルを行うための調温用熱交換器と放熱用熱交換器の両方が屋内、特に天井との境界部分に配置されている。そして、共通空間の空気が複数の一体型空気調和機の複数の放熱用熱交換器による熱交換に用いられている。
【発明の概要】
【発明が解決しようとする課題】
【０００３】
例えば、特許文献１に記載されている空気調和システムでは、天井室などの屋内の共通空間を断熱空気流路とし、排風機によって天井室内空気を入れ替えている。しかしながら、特許文献１に記載されている排風機によって天井室内空気を入れ換えるだけでは、建物の構造、一体型空気調和機の台数及び一体型空気調和機の配置によっては、効率の良い空調運転が難しい場合がある。
【０００４】
本発明の課題は、空調対象外の屋内の共通空間の空気を複数の空気調和機の熱交換に用いて熱交換効率を向上させることのできる空気調和システムを提供することである。
【課題を解決するための手段】
【０００５】
本発明の第１観点に係る空気調和システムは、屋内の空調対象空間の空調を行うために、空調対象空間の周囲の屋内に配置されている空調対象外の共通空間の空気との間で熱交換を行う空気調和システムであって、空調対象空間の空気と熱交換を行う利用側熱交換器、利用側熱交換器との間で熱の伝達が行われる熱源側熱交換器、及び共通空間から取り入れられる空気を熱源側熱交換器に流して共通空間に吹き出させる熱源側ファンを有し、共通空間の空気を複数の熱源側熱交換器に用いる複数の空気調和機と、屋外と共通空間との間の第１境界に設けられた第１換気口を有し、第１換気口を通して屋外と共通空間との間で空気を通気させるための第１換気部と、屋外と共通空間との間の第２境界に設けられた第２換気口を有し、第２換気口を通して屋外と共通空間との間で空気を通気させるための第２換気部と、屋外から入って第１換気口と第２換気口との間を流れて屋外に吹き出される気流を生じさせるための少なくとも一つの換気ファンと、第１換気部、第２換気部及び換気ファンのうちの少なくとも一つを制御する制御装置とを備え、制御装置は、共通空間内の気温及び／又は共通空間の周囲の屋外の気温に基づいて第１換気口と第２換気口との間を流れる空気の共通空間内における経路を変更する、ものである。
【０００６】
第１観点に係る空気調和システムによれば、制御装置が第１換気部、第２換気部及び換気ファンのうちの少なくとも一つを制御することにより、空気調和機の周囲の共通空間の気温を熱源側熱交換器にとって適切なものとなるように共通空間内における空気の経路を変更することができる。その結果、複数の空気調和機の周囲の温度が適切なものとなって複数の空気調和機の熱源側熱交換器の熱交換の効率が良くなる。
【０００７】
本発明の第２観点に係る空気調和システムは、第１観点の空気調和システムにおいて、制御装置は、第１換気口から第２換気口に向かう空気の流れと第２換気口から第１換気口に向かう空気の流れとを切り換えることにより共通空間内における空気の経路を変更する、ものである。
【０００８】
第２観点に係る空気調和システムによれば、第１換気口から第２換気口に向かう空気の流れと第２換気口から第１換気口に向かう空気の流れとを切り換えることにより共通空間内における空気の経路を変更できることから、例えば、第１換気口よりも第２換気口から好ましい温度の空気が流入する場合に第２換気口から第１換気口に向かう空気の流れに切り換えることにより、好ましい温度の方の空気を共通空間内に流入させることができる。例えば、空気調和システムが冷房を行っている場合に、第２換気口から流入する空気の温度の方が低ければ、第１換気口から第２換気口に向かう空気の流れを変更して第２換気口から第１換気口に空気を流すことで温度の低い方の空気を取り入れることができ、共通空間を効率良く冷やして熱交換効率を向上させることができる。
【０００９】
本発明の第３観点に係る空気調和システムは、第１観点又は第２観点に係る空気調和システムにおいて、制御装置は、第１換気部及び／または第２換気部を制御して第１換気口及び／または第２換気口の開閉を切り換えることにより共通空間内における空気の経路を変更する、ものである。
【００１０】
第３観点に係る空気調和システムによれば、第１換気口及び／または第２換気口から流入する空気と共通空間内の空気との間で温度差が生じる場合、第１換気口及び／または第２換気口を通して空気を流通させる方が好ましければ第１換気口及び／または第２換気口を開き、流通させない方が好ましければ第１換気口及び／または第２換気口を閉じることができる。例えば、熱源側熱交換器が放熱しているときに屋外から暖かい空気が入って熱交換効率が低下したり、熱源側熱交換器が放熱しているときに屋外に冷たい空気が吹き出して熱交換効率が低下したり、熱源側熱交換器が吸熱しているときに屋外から冷たい空気が入って熱交換効率が低下したり、熱源側熱交換器が吸熱しているときに屋外に暖かい空気が吹き出して熱交換効率が低下したりするのを防ぐことができる。
【００１１】
本発明の第４観点に係る空気調和システムは、第３観点の空気調和システムにおいて、第１換気部及び第２換気部のうちの少なくとも一方は、第１換気口を開閉するための第１シャッター及び第２換気口を開閉するための第２シャッターのうちの少なくとも一方を有し、制御装置は、第１シャッター及び第２シャッターのうちの少なくとも一方の開閉の切り換えを制御することにより、第１換気口と第２換気口との間を流れる空気の共通空間内における経路を変更する、ものである。
【００１２】
第４観点に係る空気調和システムによれば、第１シャッター及び第２シャッターのうちの少なくとも一方の開閉の切り換えによって経路を変更する場合には、例えば換気ファンを止めることなく経路の変更ができ、換気ファンの起動回数を減らすことができる。また、第１シャッター及び／または第２シャッターの開閉で空気の共通空間内における経路を変更することができ、第１シャッター及び第２シャッターの構造は比較的簡単である。
【００１３】
本発明の第５観点に係る空気調和システムは、第１観点から第４観点のいずれかの空気調和システムにおいて、少なくとも一つの換気ファンは、第１換気口の近傍に配置された第１換気ファンと、第２換気口の近傍に配置された第２換気ファンとを含み、制御装置は、第１換気ファンと第２換気ファンのオンとオフとを切り換えることにより、第１換気口と第２換気口との間を流れる空気の共通空間内における経路を変更する、ものである。
【００１４】
第５観点に係る空気調和システムによれば、制御装置が第１換気ファンと第２換気ファンのオンとオフとを切り換えることにより、送風を行う状態と送風を止める状態を切り換えることによって空気の共通空間内における経路を変更することから、第１換気口及び第２換気口における空気の流入出を強制的に形成することができる。例えば、流れを逆転させるような大きな経路の変更が容易に実現される。
【００１５】
本発明の第６観点に係る空気調和システムは、第１観点から第５観点のいずれかの空気調和システムにおいて、第１換気部及び第２換気部のうちの少なくとも一方は、第１換気口に続く複数の通風路を切り換え可能に構成された第１通風路切換装置及び第２換気口に続く複数の通風路を切り換え可能に構成された第２通風路切換装置のうちの少なくとも一方を有し、制御装置は、第１通風路切換装置及び第２通風路切換装置のうちの少なくとも一方の切り換えを制御することにより、第１換気口と第２換気口との間を流れる空気の共通空間内における経路を変更する、ものである。
【００１６】
第６観点に係る空気調和システムによれば、第１通風路切換装置及び第２通風路切換装置のうちの少なくとも一方の通風路の切り換えによって経路を変更する場合には、例えば換気ファンを止めることなく経路の変更ができ、換気ファンの起動回数を減らすことができる。第１換気口に続く複数の通風路及び／または第２換気口に続く複数の通風路によって共通空間の内部で通風路の開口部の向きと位置を定めることができることから、第１換気口と第２換気口との間を流れる空気の共通空間内における経路の設計の自由度が増える。
【００１７】
本発明の第７観点に係る空気調和システムは、第１観点から第６観点のいずれかの空気調和システムにおいて、制御装置は、共通空間に熱源側熱交換器が放熱する場合には第１換気口と第２換気口のうち屋外の気温が低い側から吸気し、共通空間から熱源側熱交換器が吸熱する場合には第１換気口と第２換気口のうち屋外の気温が高い側から吸気するように、第１換気口と第２換気口との間を流れる空気の共通空間内における経路を変更する、ものである。
【００１８】
第７観点に係る空気調和システムによれば、制御装置が、熱源側熱交換器が放熱する場合には第１換気口と第２換気口のうち屋外の気温が低い側から吸気するように、第１換気口と第２換気口との間を流れる空気の共通空間内における経路を変更することから、熱源側熱交換器の放熱の場合には共通空間を冷やし易くなる。また、制御装置が、熱源側熱交換器が吸熱する場合には第１換気口と第２換気口のうち屋外の気温が高い側から吸気するように、第１換気口と第２換気口との間を流れる空気の共通空間内における経路を変更することから、熱源側熱交換器の吸熱の場合には共通空間を暖め易くなる。
【発明の効果】
【００１９】
本発明の第１観点に係る空気調和システムでは、空調対象外の屋内の共通空間の空気を複数の空気調和機の熱交換に用いて熱交換効率を向上させることができる。
【００２０】
本発明の第２観点に係る空気調和システムでは、第２換気口から好ましい温度の空気が流入する場合に第２換気口から第１換気口に向かう空気の流れに切り換えることで熱交換の効率を向上させることができる。
【００２１】
本発明の第３観点に係る空気調和システムでは、第１換気口近傍の屋外、第２換気口近傍の屋外及び共通空間の空気の温度状況によって熱交換効率が低下するのを抑制することができる。
【００２２】
本発明の第４観点に係る空気調和システムでは、共通空間内における空気の経路を変更するための換気ファンの起動に伴う消費電力の増加を抑制できる。また、簡単で安価な構成によって熱交換効率の向上を実現できる。
【００２３】
本発明の第５観点に係る空気調和システムでは、第１換気ファンと第２換気ファンの制御により、所望の空気の経路に変更し易くなる。
【００２４】
本発明の第６観点に係る空気調和システムでは、共通空間内における空気の経路を変更するための換気ファンの起動に伴う消費電力の増加を抑制できる。また、空気調和システムの熱交換効率を向上させることのできる空気の経路を設定し易くなる。
【００２５】
本発明の第７観点に係る空気調和システムでは、熱源側熱交換器の放熱のときには共通空間の気温を低くして熱交換効率を上げ、熱源側熱交換器の吸熱のときには共通空間の気温を高くして熱交換効率を上げることができる。
【図面の簡単な説明】
【００２６】
【図１】第１実施形態に係る空気調和システムがビルに設置された状態の一例を示す模式的な断面図。
【図２】（ａ）天井裏で東から西に流れる空気の経路の一例を示す概念図、（ｂ）天井裏で西から東に流れる空気の経路の一例を示す概念図。
【図３】第１実施形態に係る空気調和システムの構成の一例を示すブロック図。
【図４】空気調和システムを構成する一体型の空気調和機の模式的な断面図。
【図５】図４の空気調和機の冷媒回路の一例を示す回路図。
【図６】変形例１Ｃの空気調和システムの動作を説明するための概念図。
【図７】変形例１Ｃの空気調和システムの構成の一例を示すブロック図。
【図８】変形例１Ｄの空気調和システムの構成の概要を説明するための概念図。
【図９】（ａ）第１換気ファンから第２及び第３換気ファンに流れる空気の経路の一例を示す概念図、（ｂ）第２換気ファンから第１及び第３換気ファンに流れる空気の経路の一例を示す概念図。
【図１０】（ａ）第３換気ファンから第１及び第２換気ファンに流れる空気の経路の一例を示す概念図、（ｂ）第１及び第２換気ファンから第３換気ファンに流れる空気の経路の一例を示す概念図。
【図１１】（ａ）第１及び第３換気ファンから第２換気ファンに流れる空気の経路の一例を示す概念図、（ｂ）第２及び第３換気ファンから第１換気ファンに流れる空気の経路の一例を示す概念図。
【図１２】（ａ）変形例１Ｆにおいて東から西に流れる空気の経路の一例を示す概念図、（ｂ）変形例１Ｆにおいて西から東に流れる空気の経路の一例を示す概念図。
【図１３】第２実施形態に係る空気調和システムが設置されたビルの模式的な断面図。
【図１４】（ａ）天井裏で南西から北東に流れる空気の経路の一例を示す概念図、（ｂ）天井裏で南東から北西に流れる空気の経路の一例を示す概念図。
【図１５】第２実施形態に係る空気調和システムの構成の一例を示すブロック図。
【図１６】第２実施形態に係る空気調和システムを構成するセパレート型の空気調和機についての第１ケーシングの外観の一例を示す斜視図。
【図１７】図１６の空気調和機の模式的な断面図。
【図１８】（ａ）第３実施形態に係る空気調和システムにおいて天井裏で南西から北東に流れる空気の経路の一例を示す概念図、（ｂ）天井裏で南東から北西に流れる空気の経路の一例を示す概念図。
【図１９】（ａ）変形例３Ａの空気調和システムにおいて天井裏で西から東に流れる空気の経路の一例を示す概念図、（ｂ）天井裏で東から西に流れる空気の経路の一例を示す概念図。
【発明を実施するための形態】
【００２７】
＜第１実施形態＞
（１）全体構成
本発明の第１実施形態に係る空気調和システムについて図１乃至図５を用いて説明する。図１及び図２に示されている空気調和システム１０は、屋内の空調対象空間である部屋ＲＭの空調を行うために、部屋ＲＭの周囲の屋内に配置されている空調対象外の共通空間である天井裏ＡＴの空気との間で熱交換を行う。ここでは、部屋ＲＭが１つの場合について説明しているが、複数の部屋を空気調和システム１０で空調する場合にも本願発明を適用することができる。また、ここで説明する空気調和システム１０が空気の経路を制御するのは連続した１つの共通空間である。しかし、例えばビルの１階の天井裏と２階の天井裏のように独立した複数の共通空間の空気の経路を本発明に係る１つの空気調和システムで制御するように構成してもよい。
【００２８】
図１に示されている空気調和システム１０は、複数の一体型の空気調和機２１，２２，２３，２４，２５とコントローラ３０と第１換気部４１と第２換気部４２と第１換気ファン４６及び第２換気ファン４７と第１温度センサ５１及び第２温度センサ５２を備えている。
【００２９】
図３には、コントローラ３０と空気調和システム１０の他の構成機器との接続関係の概要が示されている。上述の５台の一体型の空気調和機２１〜２５は、全てコントローラ３０によって制御されている。また、第１換気ファン４６及び第２換気ファン４７が、コントローラ３０によって制御されている。コントローラ３０は、第１温度センサ５１及び第２温度センサ５２の検知結果に基づいて、空気調和システム１０を制御する。
【００３０】
（２）詳細構成
（２−１）一体型の空気調和機２１〜２５
一体型の空気調和機２１〜２５は、互いに異なる構造の機器とすることもできるが、ここでは全て同じ構造の機器で構成されているものとして説明する。従って、全ての一体型の空気調和機２１〜２５の代表として空気調和機２１を例に挙げて説明する。空気調和機２１は、空調対象空間である部屋ＲＭの空気と熱交換を行う利用側熱交換器６１、利用側熱交換器６１との間で熱の伝達が行われる熱源側熱交換器６２、天井裏ＡＴから取り入れられる空気を熱源側熱交換器６２に流して再び天井裏ＡＴに吹き出させる熱源側ファン６３、部屋ＲＭから取り入られる空気を利用側熱交換器６１に流して再び部屋ＲＭに吹き出させる利用側ファン６４、及びケーシング６５を有している。他の一体型の空気調和機２２〜２５も、空気調和機２１と同じように、利用側熱交換器６１、熱源側熱交換器６２、熱源側ファン６３及び利用側ファン６４をそれぞれのケーシング６５の内部に有している。
【００３１】
利用側熱交換器６１及び熱源側熱交換器６２には、例えば多数のフィン（図示せず）の間を通過する空気とそれらフィンを貫通する複数の伝熱管（図示せず）の中を流れる冷媒との熱交換を行わせるフィンアンドチューブ式の熱交換器をそれぞれ用いることができる。利用側熱交換器６１と熱源側熱交換器６２の間では、図５に示されている冷媒回路６０を流れる冷媒によって熱の伝達が行われる。
【００３２】
熱源側ファン６３及び利用側ファン６４には、例えば遠心送風機、軸流送風機又は横断流送風機（クロスフローファン）をそれぞれ用いることができる。図４に示されている熱源側ファン６３及び利用側ファン６４はクロスフローファンである。ここで示されている熱源側ファン６３及び利用側ファン６４は、熱源側ファン６３及び利用側ファン６４の回転数をそれぞれ独立して変更可能に構成されている。従って、コントローラ３０は、空気調和機２１から空気調和機２５までの熱源側ファン６３及び利用側ファン６４に流れる熱源側送風量及び利用側送風量を、熱源側と利用側とで独立して別々に制御することができる。また、コントローラ３０によって、空気調和機２１から空気調和機２５までの熱源側ファン６３及び利用側ファン６４に流れる熱源側送風量及び利用側送風量を、各空気調和機で独立して別々に制御することができる。
【００３３】
空気調和機２１のケーシング６５の内部空間は、内部に配置された仕切板６５ａによって、空調対象空間側区域６５ｂと共通空間側区域６５ｃとに分けられている。部屋ＲＭに露出しているケーシング６５の側面には、部屋ＲＭから空気を取り入れるための部屋側吸気口６５ｄ及び部屋ＲＭに空気を吹き出すための部屋側吹出口６５ｅが形成されている。また、天井裏ＡＴに露出しているケーシング６５の側面には、天井裏ＡＴから空気を取り入れるための共通空間側吸気口６５ｆ及び天井裏ＡＴに空気を吹き出すための共通空間側吹出口６５ｇが形成されている。
【００３４】
図５には冷媒回路６０の一例が示されている。冷媒回路６０は、圧縮機６６、四路切換弁６７、熱源側熱交換器６２、膨張機構６８、利用側熱交換器６１及びアキュムレータ６９が冷媒配管６０ａで接続されて構成されている。冷房運転時には、四路切換弁６７が実線の接続になり、圧縮機６６から吐出された冷媒が四路切換弁６７を介して熱源側熱交換器６２に流れる。熱源側熱交換器６２において天井裏ＡＴの空気との熱交換により冷やされた冷媒は、膨張機構６８で膨張されて利用側熱交換器６１に流れる。利用側熱交換器６１において部屋ＲＭの空気と熱交換により暖められた冷媒は、四路切換弁６７及びアキュムレータ６９を介して圧縮機６６に吸入される。暖房運転時には、四路切換弁６７が破線の接続になり、圧縮機６６から吐出された冷媒が四路切換弁６７を介して利用側熱交換器６１に流れる。利用側熱交換器６１において部屋ＲＭの空気との熱交換により冷やされた冷媒は、膨張機構６８で膨張されて熱源側熱交換器６２に流れる。熱源側熱交換器６２において天井裏ＡＴの空気と熱交換により暖められた冷媒は、四路切換弁６７及びアキュムレータ６９を介して圧縮機６６に吸入される。
【００３５】
空気調和機２１は、制御のために、温度センサ７１〜７６を備えている。温度センサ７１は、熱源側熱交換器６２で熱交換される前の天井裏ＡＴの空気の温度を検知する。温度センサ７２は、利用側熱交換器６１で熱交換される前の部屋ＲＭの空気の温度を検知する。温度センサ７３は、膨張機構６８と利用側熱交換器６１との間において、利用側熱交換器６１の出入口の冷媒の温度を検知する。温度センサ７４は、膨張機構６８と熱源側熱交換器６２との間において、熱源側熱交換器６２の出入口の冷媒の温度を検知する。温度センサ７５は、アキュムレータ６９と圧縮機６６との間において、圧縮機６６に吸入される冷媒の温度を検知する。温度センサ７６は、圧縮機６６と四路切換弁６７との間において、圧縮機６６から吐出される冷媒の温度を検知する。空気調和機２１は、これら温度センサ７１〜７６を用いて例えば圧縮機６６に吸入される冷媒の過熱度が所定の範囲に収まるように制御される、また圧縮機６６から吐出される冷媒の温度が所定値以下になるように制御される。空気調和機２１の冷媒回路６０では、冷凍サイクル、特に蒸気圧縮式冷凍サイクルが実施される。
【００３６】
（２−２）第１換気部４１及び第２換気部４２
第１換気口４３は、ビル９０の西壁９１に形成されている。この西壁９１は、ビル９０の内部である屋内９８と屋外９９との間に設けられた第１境界の例である。第１換気口４３は第１換気部４１を構成する。この第１換気部４１は、コントローラ３０による制御はされず、第１換気口４３を通して屋外９９と天井裏ＡＴとの間で空気を単に通気させるだけの機能しか有していない。第２換気口４４は、ビル９０の東壁９２に形成されている。この東壁９２は、屋内９８と屋外９９との間に設けられた第２境界の例である。第２換気口４４は、第２換気部４２を構成する。この第２換気部４２は、コントローラ３０による制御はされず、第２換気口４４を通して屋外９９と天井裏ＡＴとの間で空気を単に通気させるだけの機能しか有していない。ここでは、第１境界を西壁９１とし、第２境界を東壁９２としているが、第１境界と第２境界は、東西に限られるものではなく、例えば北と南、東南と南西、又は同じ北壁の東寄りと西寄りでもよい。
【００３７】
（２−３）第１換気ファン４６及び第２換気ファン４７
第１換気ファン４６及び第２換気ファン４７には、例えば遠心送風機、軸流送風機又は横断流送風機をそれぞれ用いることができる。図２（ａ）に示されている第１換気ファン４６及び第２換気ファン４７は、軸流送風ファンである。第１換気ファン４６は、第１換気口４３に取り付けられている。また、第２換気ファン４７は、第２換気口４４に取り付けられている。つまり、第１換気ファン４６が第１換気口４３の近傍に設けられ、第２換気ファン４７が第２換気口４４の近傍に設けられているということである。換気ファン取り付け位置は、換気口近傍であればよいので、上述のように第１換気口４３及び第２換気口４４に取り付けられる場合だけでなく、換気口に気流を発生させられる離れた場所に取り付けられていてもよい。図２（ａ）及び図２（ｂ）に示されている第１換気ファン４６及び第２換気ファン４７は、排気ファンである。つまり、第１換気ファン４６は、天井裏ＡＴの空気を屋外９９（ビル９０の西側）に吹き出させ、第２換気ファン４７は、天井裏ＡＴの空気を屋外９９（ビル９０の東側）に吹き出させる。
【００３８】
（２−４）コントローラ３０
コントローラ３０は、図３に示されているように、マイクロプロセッシングユニット（ＭＰＵ）３１とメモリ３２を含んでいる。コントローラ３０は、空気調和機２１，２２，２３，２４，２５の各制御部２１ａ，２２ａ，２３ａ，２４ａ，２５ａに接続されている。コントローラ３０は、第１換気ファン４６の制御部４１ａ及び第２換気ファン４７の制御部４２ａにも接続されている。また、コントローラ３０には第１温度センサ５１及び第２温度センサ５２が接続され、第１温度センサ５１の検知温度及び第２温度センサ５２の検知温度がコントローラ３０に入力される。
【００３９】
例えば、コントローラ３０のメモリ３２には、後述する第１実施形態の空気調和システム１０の動作を制御するためのプログラムが記憶されている。ＭＰＵ３１がメモリ３２に記憶されているプログラムに従って制御部２１ａ〜２５ａ，４１ａ，４２ａに指令を送信する。ここでは、コントローラ３０がビル９０の内部に設置されている場合について説明するが、コントローラ３０はビル９０の外部に設置されていてもよく、コントローラ３０の記憶機能と処理機能が別々の場所に設けられていてもよい。
【００４０】
（２−５）第１温度センサ５１及び第２温度センサ５２
第１温度センサ５１及び第２温度センサ５２には、例えばサーミスタを用いることができる。第１温度センサ５１及び第２温度センサ５２は、第１換気ファン４６及び第２換気ファン４７の排気の影響を受けずに屋外９９の温度を検知できる場所に取り付けられる。このような場所としては、例えば第１換気口４３及び第２換気口４４からビル９０の外壁（例えば、西壁９１及び東壁９２）の方に突出して第１換気口４３及び第２換気口４４から吹き出される気流から外れた場所などがある。
【００４１】
（３）全体動作
ここでは、空気調和システム１０の一体型の空気調和機２１〜２５が全て暖房運転する場合と全ての一体型の空気調和機２１〜２５が冷房運転をする場合について説明する。まず、全ての一体型の空気調和機２１〜２５が冷房運転をする場合は、図２（ａ）及び図２（ｂ）に示されている一体型の空気調和機２１〜２５から部屋ＲＭに向かって冷風が吹き出される。冷風の温度は、通常、屋外９９の気温よりも低い。このとき一体型の空気調和機２１〜２５から天井裏ＡＴに向かって温風が吹き出される。温風の温度は、通常、屋外の気温よりも高い。
【００４２】
コントローラ３０は、一体型の空気調和機２１〜２５の制御を行っており、空気調和機２１〜２５が冷房運転を実施していて、空気調和機２１〜２５から天井裏ＡＴには温風が吹き出されている状態を認識できる。このとき並行して、コントローラ３０は、第１温度センサ５１と第２温度センサ５２の検知温度を比較している。コントローラ３０は、検知温度の比較結果から、ビル９０の西壁９１の周囲の空気の温度と東壁９２の周囲の空気の温度の高低を認識している。天井裏ＡＴに温風が吹き出されている状態のとき、空気調和機２１〜２５の熱交換の効率を高めるためには天井裏ＡＴの空気の温度が低い方が好ましい。そこで、コントローラ３０は、西壁９１と東壁９２の周囲の空気の温度の低い方から空気を取り入れるため、第１換気ファン４６と第２換気ファン４７のうち、周囲の空気の温度の高い方を駆動する。
【００４３】
午後は例えば西壁９１に日光が当たって西壁９１の周囲の空気の温度が高いとすると、コントローラ３０は第１換気ファン４６を駆動する。この第１換気ファン４６の駆動により、図２（ａ）に矢印ＡＲ１で示されている天井裏ＡＴから第１換気口４３を通って屋外９９に吹き出す気流が発生する。矢印ＡＲ１で示されている気流の発生にともなって天井裏ＡＴが負圧になり、屋外９９から第２換気口４４を通って天井裏ＡＴに流れ込む気流（矢印ＡＲ２で示された気流）が発生する。このとき第２換気ファン４７は駆動されておらず、第２換気ファン４７による気流は生じない。その結果、天井裏ＡＴでは、第２換気口４４から第１換気口４３に向かう気流（矢印ＡＲ３で示された気流）が発生する。
【００４４】
午前は例えば東壁９２に日光が当たって東壁９２の周囲の空気の温度が高いとすると、コントローラ３０は第２換気ファン４７を駆動する。この第２換気ファン４７の駆動により、図２（ｂ）に矢印ＡＲ４で示されている天井裏ＡＴから第２換気口４４を通って屋外９９に吹き出す気流が発生する。矢印ＡＲ４で示されている気流の発生にともなって天井裏ＡＴが屋外９９より気圧の低い負圧になり、屋外９９から第１換気口４３を通って天井裏ＡＴに流れ込む気流（矢印ＡＲ５で示された気流）が発生する。このとき第１換気ファン４６は駆動されておらず第１換気ファン４６による気流は生じない。その結果、天井裏ＡＴでは、第１換気口４３から第２換気口４４に向かう気流（矢印ＡＲ６で示された気流）が発生する。
【００４５】
上述のように、午前は、温度の低い西壁９１の周囲の空気を取り入れることができるように共通空間である天井裏ＡＴの空気の経路を変更して空気調和機２１〜２５の周囲の温度を低くすることができ、空気調和機２１〜２５の熱源側熱交換器６２の熱交換効率が良くなる。また、午後は、温度の低い東壁９２の周囲の空気を取り入れることができるように天井裏ＡＴの空気の経路を変更して空気調和機２１〜２５の周囲の温度を低くすることができ、空気調和機２１〜２５の熱源側熱交換器６２の熱交換効率が良くなる。
【００４６】
次に、全ての一体型の空気調和機２１〜２５が暖房運転をする場合は、図２（ａ）及び図２（ｂ）に示されている空気調和機２１〜２５から部屋ＲＭに向かって温風が吹き出される。このとき空気調和機２１〜２５から天井裏ＡＴに向かって冷風が吹き出される。このとき、コントローラ３０は、空気調和機２１〜２５の制御を行っており、空気調和機２１〜２５が暖房運転を実施していて、空気調和機２１〜２５から天井裏ＡＴには冷風が吹き出されている状態を認識している。また、コントローラ３０は、第１温度センサ５１と第２温度センサ５２の検知温度の比較結果から、ビル９０の西壁９１の周囲の空気の温度と東壁９２の周囲の空気の温度の高低を認識している。天井裏ＡＴに冷風が吹き出されている状態のとき空気調和機２１〜２５の熱交換の効率を高めるためには天井裏ＡＴの空気の温度が高い方が好ましい。そこで、コントローラ３０は、西壁９１と東壁９２の周囲の空気の温度の高い方から空気を取り入れるため、第１換気ファン４６と第２換気ファン４７のうち、周囲の空気の温度の低い方を駆動する。
【００４７】
午前は例えば東壁９２に日光が当たって東壁９２の周囲の空気の温度が高いとすると、コントローラ３０は第１換気ファン４６を駆動する。この第１換気ファン４６の駆動により、図２（ａ）に矢印ＡＲ１で示されている天井裏ＡＴから第１換気口４３を通って屋外９９に吹き出す気流が発生する。その結果、既に説明したように、天井裏ＡＴでは、第２換気口４４から第１換気口４３に向かう気流（矢印ＡＲ３で示された気流）が発生する。
【００４８】
午後は例えば西壁９１に日光が当たって西壁９１の周囲の空気の温度が高いとすると、コントローラ３０は第２換気ファン４７を駆動する。この第２換気ファン４７の駆動により、図２（ｂ）に矢印ＡＲ４で示されている天井裏ＡＴから第２換気口４４を通って屋外９９に吹き出す気流が発生する。その結果、既に説明したように、天井裏ＡＴでは、第１換気口４３から第２換気口４４に向かう気流（矢印ＡＲ６で示された気流）が発生する。
【００４９】
上述のように、午前は、温度の高い東壁９２の周囲の空気を取り入れることができるように天井裏ＡＴの空気の経路を変更して空気調和機２１〜２５の周囲の温度を高くすることができ、空気調和機２１〜２５の熱源側熱交換器６２の熱交換効率が良くなる。また、午後は、温度の高い西壁９１の周囲の空気を取り入れることができるように天井裏ＡＴの空気の経路を変更して空気調和機２１〜２５の周囲の温度を低くすることができ、空気調和機２１〜２５の熱源側熱交換器６２の熱交換効率が良くなる。
【００５０】
（４）変形例
（４−１）変形例１Ａ
上記第１実施形態では、第１換気ファン４６及び第２換気ファン４７が排気ファンである場合について説明したが、第１換気ファン４６及び第２換気ファン４７を吸気ファンとしてもよい。冷房運転の場合を例に挙げると、第１換気ファン４６及び第２換気ファン４７が吸気ファンであって第１実施形態のように午前に東壁９２の周囲の空気の温度が高く、午後に西壁９１の周囲の温度が高い場合には、午後に第２換気ファン４７を駆動し、午前に第１換気ファン４６を駆動する。第２換気ファン４７を駆動すると、午後に図２（ａ）に矢印ＡＲ２で示されている気流を発生させ、天井裏ＡＴが屋外９９より気圧の高い正圧になり、天井裏ＡＴから第１換気口４３を通って屋外９９に流れ出す気流（矢印ＡＲ１で示された気流）を発生させることができる。逆に、第１換気ファン４６を駆動すると、午前に図２（ｂ）に矢印ＡＲ５で示されている気流を発生させ、天井裏ＡＴが屋外９９より気圧の高い正圧になり、天井裏ＡＴから第２換気口４４を通って屋外９９に流れ出す気流（矢印ＡＲ４で示された気流）を発生させることができる。
【００５１】
（４−２）変形例１Ｂ
上記第１実施形態では、第１換気ファン４６と第２換気ファン４７の２台を用いたが、例えばファンの回転翼の回転方向を切り換えて、１台で吸気と排気とを切り換えられる換気ファンを用いてもよい。この吸気と排気を切り換えられるように構成される換気ファンは、第１換気口４３又は第２換気口４４の近傍に配置すればよい。また、第１換気ファン４６と第２換気ファン４７の両方を吸気と排気を切り換えられるように構成してもよい。そのように構成した場合に、例えば図２（ａ）のような矢印ＡＲ１，ＡＲ２で示された気流を発生させるには、排気を行うように第１換気ファン４６を駆動し、吸気を行うように第２換気ファン４７を駆動すればよい。また、例えば図２（ｂ）のような矢印ＡＲ４，ＡＲ５で示された気流を発生させるには、吸気を行うように第１換気ファン４６を駆動し、排気を行うように第２換気ファン４７を駆動すればよい。
【００５２】
（４−３）変形例１Ｃ
上記第１実施形態では、第１換気部４１及び第２換気部４２は、コントローラ３０による制御がされず、常に開放されている。しかし、図６に示されているように、第１換気口４３を開閉する第１シャッター４８を第１換気部４１に設け、第２換気口４４を開閉する第２シャッター４９を第２換気部４２に設けてもよい。図７に示されているように、第１シャッター４８及び第２シャッター４９はコントローラ３０に接続されている。コントローラ３０は、第１シャッター４８及び第２シャッター４９に対して開閉信号をそれぞれに出力して第１シャッター４８及び第２シャッター４９の開閉をそれぞれに制御することができる。
【００５３】
例えば、上記第１実施形態のビル９０において冷房運転を行う場合、天井裏ＡＴの空気の温度の上昇よりも屋外９９の空気の温度の上昇の方が速く、西壁９１及び東壁９２の周囲の空気の温度よりも天井裏ＡＴの空気の温度が低い時間帯が生じたとする。このような状態の検知は、上述の一体型の空気調和機２１〜２５については、温度センサ７１の検知温度を制御部２１ａ〜２５ａからコントローラ３０に送信することにより行うことができる。例えば、５つの温度センサ７１のいずれの検知温度よりも第１温度センサ５１及び第２温度センサ５２の検知温度が高ければ、コントローラ３０が天井裏ＡＴよりも屋外９９の空気の温度が高いと判断する。このような時間帯においては、屋外９９の空気を天井裏ＡＴに取り入れると却って熱交換の効率が落ちるため、コントローラ３０は、第１シャッター４８及び第２シャッター４９を閉じるように制御してもよい。第１シャッター４８及び第２シャッター４９を閉じているときには、第１換気ファン４６及び第２換気ファン４７を停止し、天井裏ＡＴの空気の流れが一体型の空気調和機２１〜２５から吹き出される空気の気流（矢印ＡＲ７で示された気流）によって形成されるようにしてもよい。この場合、天井裏ＡＴの空気の温度が屋外９９の空気の温度に近づいて天井裏ＡＴの空気の温度が屋外９９の空気の温度に基づいて設定された閾値温度を超えた時点で、コントローラ３０が、第１シャッター４８及び第２シャッター４９を開くように制御すればよい。第１シャッター４８及び第２シャッター４９を開いているときには、第１実施形態で説明したように、コントローラ３０は、第１温度センサ５１及び第２温度センサ５２の検知温度に基づいて天井裏ＡＴの空気の経路を切り換える。
【００５４】
（４−４）変形例１Ｄ
上記第１実施形態では、第１換気口４３として開口が一つの場合について説明したが、第１換気口４３として開口を複数設けてもよい。また、第２換気口４４として開口を複数設けてもよい。第１シャッターを複数設けてもよい。さらに、第２シャッターを複数設けてもよい。
【００５５】
例えば、図８に示されているように、第１換気口４３として３つの開口部４３ａ，４３ｂ，４３ｃを設けてもよい。開口部４３ａに第１換気ファン４６と第１シャッター４８ａが設けられ、開口部４３ｂに第１シャッター４８ｂが設けられ、開口部４３ｃに第１シャッター４８ｃが設けられている。図８に示されているように、第２換気口４４として３つの開口部４４ａ，４４ｂ，４４ｃを設けてもよい。開口部４４ａに第２換気ファン４７と第２シャッター４９ａが設けられ、開口部４４ｂに第２シャッター４９ｂが設けられ、開口部４４ｃに第２シャッター４９ｃが設けられている。この場合、第１換気部４１は、２つの開口部４３ａ，４３ｂ，４３ｃからなる第１換気口４３と３つの第１シャッター４８ａ，４８ｂ，４８ｃにより構成されている。第２換気部４２は、２つの開口部４４ａ，４４ｂ，４４ｃからなる第２換気口４４と３つの第２シャッター４９ａ，４９ｂ，４９ｃにより構成されている。図示を省略するが、６つの第１シャッター４８ａ，４８ｂ，４８ｃ及び第２シャッター４９ａ，４９ｂ，４９ｃは、コントローラ３０に接続され、コントローラ３０によって制御される。
【００５６】
例えば、図８に示されている第１換気口４３から第２換気口４４に向かう空気の経路を形成する場合、コントローラ３０は、第２シャッター４９ａを開き、第２シャッター４９ｂ，４９ｃを閉じる。また、コントローラ３０により、排気ファンである第２換気ファン４７が駆動され、第１換気ファン４６が停止される。この場合、第１シャッター４８ａ，４８ｂ，４８ｃの開閉パターンは、全てを閉じる場合を除く７通りある。例えば、一体型の空気調和機２４，２５のみが駆動していて他が停止している場合には、第１シャッター４８ｃのみを開けて一体型の空気調和機２４，２５に流れる気流を強くする方が好ましい。このように、コントローラ３０は、一体型の空気調和機２１〜２５の駆動・停止の状態に応じて複数の第１シャッター４８ａ，４８ｂ，４８ｃの開閉パターンを選択してもよい。あるいは、一体型の空気調和機２４，２５の発揮している空調能力が他に比べて大きくなっている場合には、第１シャッター４８ｃのみを開けて一体型の空気調和機２４，２５に流れる気流を強くする方が好ましい。このように、コントローラ３０は、一体型の空気調和機２１〜２５の運転能力の発揮状態に応じて複数の第１シャッター４８ａ，４８ｂ，４８ｃの開閉パターンを選択してもよい。
【００５７】
また、例えば、コントローラ３０は、最初、第１換気口４３として開口部４３ａだけを開いて開口部４３ｂ、４３ｃを閉じて全ての一体型の空気調和機２１〜２５を駆動し、冷房運転の途中で複数の第１シャッター４８ａ，４８ｂ，４８ｃの開閉パターンを変更してもよい。そのために、例えば、コントローラ３０は、所定時間が経過する度に一体型の空気調和機２１〜２５の熱源側熱交換器６２に供給される天井裏ＡＴの空気の温度の違いを温度センサ７１で検知するように構成してもよい。例えば、一体型の空気調和機２１，２２の温度センサ７１の検知温度が、一体型の空気調和機２３〜２５の温度センサ７１の検知温度よりも所定値（例えば３℃）だけ高くなり、コントローラ３０が一体型の空気調和機２１，２２の周囲に熱がこもっていると判断したときには、第１シャッター４８ｂを開いて第１シャッター４８ａ，４８ｃを閉じるように制御してもよい。このような制御をすることで、共通空間である天井裏ＡＴで温度分布が生じて熱交換効率が低下するのを抑制することができる。このとき、第１換気ファン４６と第２換気ファン４７のいずれを駆動するかは、第１実施形態と同様に、第１温度センサ５１と第２温度センサ５２の検知温度によってコントローラ３０が判断している。このようなコントローラ３０の制御は、共通空間（天井裏ＡＴ）内の気温及び共通空間の周囲の屋外９９の気温に基づいて第１換気口４３と第２換気口４４との間を流れる空気の共通空間内における経路を変更する制御の例である。
【００５８】
（４−５）変形例１Ｅ
上記第１実施形態では、排気用ファンである第１換気ファン４６及び第２換気ファン４７の２つの換気ファンが、第１境界である西壁９１と第２境界である東壁９２に配置されている場合について説明した。また、変形例１Ａでは、第１換気ファン４６及び第２換気ファン４７が吸気ファンであってもよいことを説明した。さらに、吸気及び排気を切り換えられる少なくとも１台の換気ファンを西壁９１（第１境界）の第１換気口４３及び東壁９２（第２境界）の第２換気口４４の少なくとも一方に配置してもよいことを説明した。
【００５９】
これら第１実施形態、変形例１Ａ及び変形例１Ｂの構成に加えて、第３境界の第３換気口の近傍に第３換気ファンを設置してもよい。さらに、第４境界の第４換気口の近傍に第４換気ファンを設置してもよい。このような構成においては、第３換気ファン及び第４換気ファンもコントローラ３０により制御される。その場合、第３境界の第３換気口周辺の屋外の気温を第３温度センサで検知して、第１、第２及び第３温度センサの検知結果に基づいて、第１、第２及び第３換気口との間を流れる空気の共通空間内における経路を変更するように構成してもよい。また、第３及び第４境界の第３及び第４換気口周辺の屋外の気温を第３及び第４温度センサで検知して、第１、第２、第３及び第４温度センサの検知結果に基づいて、第１、第２、第３及び第４換気口との間を流れる空気の共通空間内における経路を変更するように構成してもよい。第３境界としては、例えば図９（ａ）に示されているビル９０の北壁９３がある。また、第４境界として、例えば図９（ａ）の南壁９４がある。なお、第１境界乃至第４境界は、東西南北に限られるものではなく、ビル９０の水平断面形状が四角形であるとは限られず、例えばビルの水平断面形状が六角形であれば第１乃至第６境界まで設定されてもよい。例えばＤ字のように中央に中庭に面する壁があれば、その壁を境界としてもよい。また、ここでは、西壁９１を第１境界、東壁９２を第２境界、そして北壁９３を第３境界とみなしているが、例えば北壁９３を第１境界、西壁９１を第２境界、そして東壁９２を第３境界とみなすこともできる。さらに、ビルの水平断面形状が円形である場合には、第１境界と第２境界の境目が分かりにくいが、円形の場合には例えば第１換気口と第２換気口の中間地点を第１境界と第２境界の境目とみなすことができる。
【００６０】
ここでは、図９（ａ）、図９（ｂ）、図１０（ａ）、図１０（ｂ）、図１１（ａ）及び図１１（ｂ）を用いて、第３境界である北壁９３に第３換気口８２が形成されている場合について説明する。なお、これらの図においては第１温度センサ及び第２温度センサの図示が省略されているが、第１実施形態と同様に構成されている。北壁９３の第３換気口８２が第３換気部を構成する。この第３換気口８２の中には、コントローラ３０により制御される第３換気ファン８１が設置されている。これら第３換気ファン８１と第３換気口８２以外の構成は、第１実施形態の空気調和システム１０と同じである。つまり、変形例１Ｅの空気調和システム１０は、一体型の空気調和機２１〜２５とコントローラ３０と第１換気口４３及び第２換気口４４と第１換気ファン４６及び第２換気ファン４７も備えている。
【００６１】
変形例１Ｅの空気調和システム１０では、第３換気口８２及び第３換気ファン８１をさらに備えることで、共通空間である天井裏ＡＴの空気の経路の切り換えのバリエーションが豊富になっている。図９（ａ）には、コントローラ３０により、第３換気ファン８１が停止していて、第１換気ファン４６及び第２換気ファン４７が駆動されている場合が示されている。第１換気ファン４６が駆動されることにより、矢印ＡＲ８で示された天井裏ＡＴから第１換気口４３を通って屋外９９に吹き出す気流が発生する。また、第２換気ファン４７が駆動されることにより、矢印ＡＲ９で示された天井裏ＡＴから第２換気口４４を通って屋外９９に吹き出す気流が発生する。矢印ＡＲ８，ＡＲ９で示されている気流の発生にともなって天井裏ＡＴが負圧になり、屋外９９から第３換気口８２を通って天井裏ＡＴに流れ込む気流（矢印ＡＲ１０で示された気流）が発生する。その結果、天井裏ＡＴでは、第３換気口８２から第１換気口４３に向かう気流（矢印ＡＲ１１で示された気流）及び第３換気口８２から第２換気口４４に向かう気流（矢印ＡＲ１２で示された気流）が発生する。
【００６２】
図９（ｂ）には、コントローラ３０により、第３換気ファン８１が駆動されていて、第１換気ファン４６及び第２換気ファン４７が停止されている場合が示されている。第３換気ファン８１が駆動されることにより、矢印ＡＲ１３で示された天井裏ＡＴから第３換気口８２を通って屋外９９に吹き出す気流が発生する。矢印ＡＲ１３で示されている気流の発生にともなって天井裏ＡＴが負圧になり、屋外９９から第１換気口４３及び第２換気口４４を通って天井裏ＡＴに流れ込む気流（矢印ＡＲ１４，ＡＲ１５で示された気流）が発生する。その結果、天井裏ＡＴでは、第１換気口４３から第３換気口８２に向かう気流（矢印ＡＲ１６で示された気流）及び第２換気口４４から第３換気口８２に向かう気流（矢印ＡＲ１７で示された気流）が発生する。
【００６３】
図１０（ａ）には、コントローラ３０により、第２換気ファン４７及び第３換気ファン８１が駆動されていて、第１換気ファン４６が停止されている場合が示されている。このような状態において天井裏ＡＴでは、第１換気口４３を通って天井裏ＡＴに流れ込む気流（矢印ＡＲ１８で示された気流）、第１換気口４３から第２換気口４４に向かう気流（矢印ＡＲ１９で示された気流）及び第１換気口４３から第３換気口８２に向かう気流（矢印ＡＲ２０で示された気流）、並びに第２換気口４４を通って屋外９９に吹き出す気流（矢印ＡＲ２１で示された気流）及び第３換気口８２を通って屋外９９に吹き出す気流（矢印ＡＲ２２で示された気流）が発生する。図１０（ｂ）には、コントローラ３０により、第１換気ファン４６及び第３換気ファン８１が駆動されていて、第２換気ファン４７が停止されている場合が示されている。このような状態において天井裏ＡＴでは、第１換気口４３を通って天井裏ＡＴに流れ込む気流（矢印ＡＲ２３で示された気流）、第２換気口４４から第１換気口４３に向かう気流（矢印ＡＲ２４で示された気流）及び第２換気口４４から第３換気口８２に向かう気流（矢印ＡＲ２５で示された気流）、並びに第１換気口４３を通って屋外９９に吹き出す気流（矢印ＡＲ２６で示された気流）及び第３換気口８２を通って屋外９９に吹き出す気流（矢印ＡＲ２７で示された気流）が発生する。
【００６４】
図１１（ａ）には、コントローラ３０により、第１換気ファン４６及び第３換気ファン８１が停止されていて、第２換気ファン４７が駆動されている場合が示されている。このような状態において天井裏ＡＴでは、第１換気口４３及び第３換気口８２を通って天井裏ＡＴに流れ込む気流（矢印ＡＲ２８，ＡＲ２９で示された気流）、第１換気口４３から第２換気口４４に向かう気流（矢印ＡＲ３０で示された気流）及び第３換気口８２から第２換気口４４に向かう気流（矢印ＡＲ３１で示された気流）、並びに第２換気口４４を通って屋外９９に吹き出す気流（矢印ＡＲ３２で示された気流）が発生する。図１１（ｂ）には、コントローラ３０により、第１換気ファン４６が駆動されていて、第２換気ファン４７及び第３換気ファン８１が停止されている場合が示されている。このような状態において天井裏ＡＴでは、第２換気口４４及び第３換気口８２を通って天井裏ＡＴに流れ込む気流（矢印ＡＲ３３，ＡＲ３４で示された気流）、第２換気口４４から第１換気口４３に向かう気流（矢印ＡＲ３５で示された気流）及び第３換気口８２から第１換気口４３に向かう気流（矢印ＡＲ３６で示された気流）、並びに第１換気口４３を通って屋外９９に吹き出す気流（矢印ＡＲ３７で示された気流）が発生する。
【００６５】
（４−６）変形例１Ｆ
上記変形例１Ｅでは、第１換気口４３、第２換気口４４及び第３換気口８２にシャッターが設けられていない場合について説明したが、図１２（ａ）及び図１２（ｂ）に示されているように、第１シャッター４８、第２シャッター４９及び第３シャッター８３を設けてもよい。３つ以上の換気口が設けられている場合でも、換気口にシャッターを設けることにより、共通空間である天井裏ＡＴの空気の経路の切り換えのバリエーションをさらに増やすことができる。第３換気口８２と第３シャッター８３が第３換気部８４を構成する。
【００６６】
図１２（ａ）及び図１２（ｂ）においては、第１換気口４３の第１シャッター４８及び第２換気口４４の第２シャッター４９が開かれ、第３換気口８２の第３シャッター８３が閉じられている。図１２（ａ）には、コントローラ３０により、第２換気ファン４７及び第３換気ファン８１が停止されていて、第１換気ファン４６が駆動されている場合が示されている。図１２（ｂ）には、コントローラ３０により、第１換気ファン４６及び第３換気ファン８１が停止されていて、第２換気ファン４７が駆動されている場合が示されている。このように第３換気口８２に第３シャッター８３を設けられている変形例１Ｆの空気調和システム１０では、変形例１Ｅの空気調和システム１０では行えなかったような、図２（ａ）及び図２（ｂ）に示されているのと同じ空気の流路の切り換えが可能になる。
【００６７】
（４−７）変形例１Ｇ
上記第１実施形態の空気調和システム１０では、第１温度センサ５１及び第２温度センサ５２で検知される屋外の気温に基づいて、空気調和機２１〜２５の周囲の天井裏ＡＴの気温を熱源側熱交換器６２にとって適切なものとなるように天井裏ＡＴ内における空気の経路を変更する場合について説明した。しかし、第１温度センサ５１及び第２温度センサ５２を設けずに、空気調和機２１〜２５の温度センサ７１を用いて検知される共通空間の気温のみに基づいて、空気調和機２１〜２５の周囲の天井裏ＡＴの気温を熱源側熱交換器６２にとって適切なものとなるように天井裏ＡＴ内における空気の経路を変更してもよい。このように共通空間の気温のみに基づいてもよい点に関しては他の実施形態及び変形例でも同様である。例えば、１日の空気調和システム１０の運転期間中、２時間毎に予め定めた一定時間（例えば１０分）ずつ図２（ａ）と図２（ｂ）で示されている空気の経路に変更する。そして、一定時間経過時に空気調和機２１〜２５の温度センサ７１で検知される天井裏ＡＴの気温を比較して、冷房運転であれば天井裏ＡＴの気温が低い方を、暖房運転であれば気温が高い方を選択するように構成してもよい。
【００６８】
（４−８）変形例１Ｈ
上記変形例１Ｂの空気調和システム１０では、第１換気ファン４６及び第２換気ファン４７が停止しているときには、第１換気ファン４６及び第２換気ファン４７を空気が通過して換気が行えるような構成について説明したが、第１換気ファン４６及び第２換気ファン４７はコントローラ３０によっては制御されないシャッター付きの換気ファンであってもよい。例えば、換気ファンが駆動されたときにはシャッターが自動的に開き、換気ファンが停止されたときにはシャッターが自動的に閉じるような自動開閉式のシャッターを第１換気ファン４６及び／または第２換気ファン４７が有していてもよい。このような自動開閉式のシャッター付きの換気ファンは、排気ファン及び吸気ファンに適用されてもよい。
【００６９】
（４−９）変形例１Ｉ
上記第１実施形態の空気調和システム１０では、第１温度センサ５１及び第２温度センサ５２で検知される屋外の気温に基づいて、上記変形例１Ｇでは空気調和機２１〜２５の温度センサ７１で検知される天井裏ＡＴの気温に基づいて、空気調和機２１〜２５の周囲の天井裏ＡＴの気温を熱源側熱交換器６２にとって適切なものとなるように天井裏ＡＴ内における空気の経路を変更する場合について説明した。しかし、温度センサを用いずに、例えば予め行われた実地検証又はシミュレーション結果から与えられる共通空間内の気温及び／又は共通空間の周囲の屋外の気温に基づいて、空気調和機２１〜２５の周囲の天井裏ＡＴの気温を熱源側熱交換器６２にとって適切なものとなるように天井裏ＡＴ内における空気の経路を変更してもよい。共通空間内の気温及び／又は共通空間の周囲の屋外の気温に関するデータは、例えばコントローラ３０のメモリ３２に記憶させればよい。このように例えば予め行われた実地検証又はシミュレーション結果から与えられる共通空間内の気温及び／又は共通空間の周囲の屋外の気温に基づいてもよい点に関しては他の実施形態及び変形例でも同様である。
【００７０】
（４−１０）変形例１Ｊ
上記変形例１Ｄでは、図８に示されているように西壁９１と東壁９２の両方に第１シャッター４８ａ〜４８ｃ及び第２シャッター４９ａ〜４９ｃを設ける場合について説明したが、第１シャッター４８ａ〜４８ｃ及び第２シャッター４９ａ〜４９ｃのうちのいずれか一方だけを設けるようにしてもよい。
【００７１】
（４−１１）変形例１Ｋ
上記変形例１Ｄでは、西壁９１と東壁９２に第１温度センサ５１と第２温度センサ５２を一つずつ設ける場合について説明したが、複数の開口部４３ａ〜４３ｃ及び複数の開口部４４ａ〜４４ｃに対応して複数の第１温度センサ５１と複数の第２温度センサ５２を設けるようにしてもよい。その場合には、例えば、複数の第１温度センサ５１の検知温度の平均値と複数の第２温度センサ５２の検知温度の平均値を比較して東西のどちらの温度が適切かを判別するように構成してもよい。
【００７２】
＜第２実施形態＞
（５）全体構成
本発明の第２実施形態に係る空気調和システムについて図１３乃至図１７を用いて説明する。図１３に示されている空気調和システム１０は、屋内の空調対象空間である２つの部屋ＲＭ１，ＲＭ２の空調を行うために、部屋ＲＭ１，ＲＭ２の周囲の屋内に配置されている空調対象外の共通空間である天井裏ＡＴの空気との間で熱交換を行う。
【００７３】
図１３、図１４（ａ）及び図１４（ｂ）に示されている空気調和システム１０は、複数（ここでは５台）のセパレート型の空気調和機２１Ａ，２２Ａ，２３Ａ，２４Ａ，２５Ａとコントローラ３０と換気ファン１３０と第１温度センサ５１及び第２温度センサ５２と第１換気部１４１と第２換気部１４２と２つの通風路１０１，１０２と通風路シャッター１０３，１０４を備えている。なお、通風路１０１，１０２はダクト１００によって形成される。通風路１０１は開口部１０１ａと第２換気口１４６をつないでおり、通風路１０２は開口部１０２ａと第２換気口１４６をつないでいる。
【００７４】
図１５には、コントローラ３０と空気調和システム１０の他の構成機器との接続関係の概要が示されている。上述の５台のセパレート型の空気調和機２１Ａ〜２５Ａは、全てコントローラ３０によって制御されている。また、換気ファン１３０、第１シャッター１５４、第２シャッター１５５及び通風路シャッター１０３，１０４も、コントローラ３０によって制御されている。コントローラ３０は、第１温度センサ５１及び第２温度センサ５２の検知結果に基づいて、空気調和システム１０を制御する。
【００７５】
（６）詳細構成
（６−１）セパレート型の空気調和機２１Ａ〜２５Ａ
セパレート型の空気調和機２１Ａ〜２５Ａは、互いに異なる構造の機器とすることもできるが、ここでは全て同じ構造の機器で構成されているものとして説明する。従って、全てのセパレート型の空気調和機２１Ａ〜２５Ａの代表として空気調和機２１Ａを例に挙げて説明する。
【００７６】
空気調和機２１Ａは、空調対象空間である部屋ＲＭ１の空気と熱交換を行う利用側熱交換器６１、利用側熱交換器６１との間で熱の伝達が行われる熱源側熱交換器６２、天井裏ＡＴから取り入れられる空気を熱源側熱交換器６２に流して再び天井裏ＡＴに吹き出させる熱源側ファン６３、部屋ＲＭから取り入られる空気を利用側熱交換器６１に流して再び部屋ＲＭに吹き出させる利用側ファン６４、及びケーシング６５を有している。他のセパレート型の空気調和機２２Ａ〜２５Ａも、空気調和機２１Ａと同じように、利用側熱交換器６１、熱源側熱交換器６２、熱源側ファン６３及び利用側ファン６４をそれぞれのケーシング６５の内部に有している。ただし、空気調和機２１Ａ，２３Ａ，２４Ａの利用側熱交換器６１は部屋ＲＭ１の空気と熱交換を行うが、空気調和機２２Ａ，２５Ａの利用側熱交換器６１は空調対象空間である部屋ＲＭ２の空気と熱交換を行う。
【００７７】
第２実施形態の空気調和システム１０の利用側熱交換器６１及び熱源側熱交換器６２並びに熱源側ファン６３及び利用側ファン６４の具体的構成は第１実施形態の空気調和システム１０と同様に構成できる。また、第２実施形態の空気調和機２１Ａ〜２５Ａも、第１実施形態の空気調和機２１〜２５と同様に、図５に示された冷媒回路６０及び温度センサ７１〜７６を用いて構成できる。
【００７８】
第２実施形態の空気調和機２１Ａが第１実施形態の空気調和機２１と大きく異なるのは、空気調和機２１が１つのケーシング６５の内部空間を仕切板６５ａによって分割していたのに対して空気調和機２１Ａが２つの分離した第１ケーシング１１０と第２ケーシング１２０を備えている点である。部屋ＲＭ１に露出している第１ケーシング１１０（図１６及び図１７参照）には、部屋ＲＭ１から空気を取り入れるための部屋側吸気口１１１及び部屋ＲＭ１に空気を吹き出すための部屋側吹出口１１２が形成されている。また、天井裏ＡＴに露出している第２ケーシング１２０（図１７参照）には、天井裏ＡＴから空気を取り入れるための共通空間側吸気口１２１及び天井裏ＡＴに空気を吹き出すための共通空間側吹出口１２２が形成されている。図１７に示されているように、空気調和機２１Ａの熱源側ファン６３及び利用側ファン６４には遠心ファンを用いることができる。また、利用側熱交換器６１及び熱源側熱交換器６２は、熱源側ファン６３及び利用側ファン６４を囲むように四角形の環状に形成することができる。例えば、利用側熱交換器６１は、図１６に示されている４つの部屋側吹出口１１２に対応するように配置される４つの辺を有する四角形の環状に形成されている。
【００７９】
（６−２）第１換気部１４１及び第２換気部１４２
第１換気口１４３は、ビル９０の西壁９１（第１境界の例）に形成されている。第１換気口１４３には第１シャッター１５４が設けられている。後述するように、第１換気口１４３は専ら吸気口として用いられる。第１換気口１４３と第１シャッター１５４は第１換気部１４１を構成する。この第１換気部１４１においては、第１換気口１４３と吸気専用の第２換気口１４５及び排気専用の第２換気口１４６との間を流れる空気の経路を変更するため、コントローラ３０により第１シャッター１５４が制御される。吸気専用の第２換気口１４５及び排気専用の第２換気口１４６は、ビル９０の東壁９２（第２境界の例）に形成されている。吸気専用の第２換気口１４５には第２シャッター１５５が設けられている。また、排気専用の第２換気口１４６には、通風路１０１，１０２と通風路シャッター１０３，１０４が設けられている。吸気専用の第２換気口１４５、排気専用の第２換気口１４６、第２シャッター１５５、通風路１０１，１０２及び通風路シャッター１０３，１０４は、第２換気部１４２を構成する。この第２換気部１４２においては、第１換気口１４３と吸気専用の第２換気口１４５及び排気専用の第２換気口１４６との間を流れる空気の経路を変更するため、コントローラ３０により第２シャッター１５５及び通風路シャッター１０３，１０４が制御される。ここでは、排気専用の第２換気口１４６が東壁９２に形成されて第２換気部１４２に含まれる場合について説明したが、排気専用の第２換気口１４６は、北壁９３又は南壁９４に形成されてもよい。また、排気専用の第２換気口１４６に相当する排気専用の第１換気口を西壁９１に形成してダクト１００を排気専用の第１換気口に接続することにより、第１換気部１４１に排気専用の第１換気口、複数の通風路１０１，１０２及び通風路シャッター１０３，１０４を含ませてもよい。
【００８０】
（６−３）換気ファン１３０
換気ファン１３０には、例えば遠心送風機、軸流送風機又は横断流送風機を用いることができる。図１３に示されている換気ファン１３０は、軸流送風ファンである。換気ファン１３０は、排気専用の第２換気口１４６に取り付けられている排気ファンである。換気ファン１３０は第２換気口１４６の近傍に設けられている。換気ファン１３０は、コントローラ３０によりオン・オフ制御されるが、第１換気口１４３と吸気専用の第２換気口１４５及び排気専用の第２換気口１４６との間を流れる空気の経路を変更するための制御には用いられない。
【００８１】
（６−４）コントローラ３０
図１５に示されている第２実施形態のコントローラ３０が第１実施形態のコントローラ３０と異なる点は、第１換気口１４３と吸気専用の第２換気口１４５及び排気専用の第２換気口１４６との間を流れる空気の経路を変更する制御のために、換気ファン１３０の切換を行わず、第１シャッター１５４、第２シャッター１５５、及び通風路シャッター１０３，１０４の制御を行う点である。コントローラ３０は、空気調和機２１Ａ、空気調和機２２Ａ、空気調和機２３Ａ、空気調和機２４Ａ及び空気調和機２５Ａの各制御部２１ａ，２２ａ，２３ａ，２４ａ，２５ａに接続されている。コントローラ３０は、換気ファン１３０の制御部１３１、第１シャッター１５４、第２シャッター１５５、及び通風路シャッター１０３，１０４にも接続されている。例えば、コントローラ３０のメモリ３２には、後述する第２実施形態の空気調和システム１０の動作を制御するためのプログラムが記憶されている。
【００８２】
（７）全体動作
（７−１）空気調和機全てが同じ運転をする場合
第１実施形態で説明したように、全ての空気調和機２１Ａ〜２５Ａの暖房運転時と冷房運転時では天井裏ＡＴを暖かくするべきか冷たくすべきかの違いがあるだけであるため、例えば、第１換気口１４３と吸気専用の第２換気口１４５及び排気専用の第２換気口１４６の間の空気の流れを逆向きにすればよい。そこで、第２実施形態の全体動作では、冷房運転を例に挙げて説明して、暖房運転の全体動作については説明を省略する。
【００８３】
コントローラ３０は、セパレート型の空気調和機２１Ａ〜２５Ａの制御を行っており、空気調和機２１Ａ〜２５Ａが冷房運転を実施していて、空気調和機２１Ａ〜２５Ａから天井裏ＡＴには温風が吹き出されている状態を認識できる。このとき並行して、コントローラ３０は、第１温度センサ５１と第２温度センサ５２の検知温度から、ビル９０の西壁９１の周囲の空気の温度と東壁９２の周囲の空気の温度の高低を認識している。コントローラ３０は、西壁９１と東壁９２の周囲の空気の温度の低い方から空気を取り入れるため、第１換気口１４３と吸気専用の第２換気口１４５のうち、周囲の空気の温度の高い方を吸気する。
【００８４】
午前は例えば東壁９２に日光が当たって東壁９２の周囲の空気の温度が高いとすると、コントローラ３０は、第１換気口１４３の第１シャッター１５４と通風路シャッター１０３を開き、吸気専用の第２換気口１４５の第２シャッター１５５と通風路シャッター１０４を閉じる。このとき排気ファンである換気ファン１３０が駆動しており、図１４（ａ）に矢印ＡＲ４０で示されている、天井裏ＡＴから排気専用の第２換気口１４６を通って屋外９９に吹き出す気流が発生している。矢印ＡＲ４０で示されている気流の発生にともなって天井裏ＡＴが負圧になり、第１シャッター１５４が開いているので、屋外９９から第１換気口１４３を通って天井裏ＡＴに流れ込む気流（矢印ＡＲ４１で示された気流）が発生する。このとき吸気専用の第２換気口１４５の第２シャッター１５５と通風路シャッター１０４が閉じられており、吸気専用の第２換気口１４５から流れ込む気流は生じない。その結果、天井裏ＡＴでは、第１換気口１４３から通風路１０１の開口部１０１ａに向かう気流（矢印ＡＲ４２で示された気流）が発生する。
【００８５】
午後は例えば西壁９１に日光が当たって西壁９１の周囲の空気の温度が高いとすると、コントローラ３０は、第１換気口１４３の第１シャッター１５４と通風路シャッター１０３を閉じ、吸気専用の第２換気口１４５の第２シャッター１５５と通風路シャッター１０４を開ける。このときも、換気ファン１３０が駆動しており、矢印ＡＲ４０で示されている気流が発生している。第２シャッター１５５が開いているので、図１４（ｂ）に示されているように、屋外９９から吸気専用の第２換気口１４５を通って天井裏ＡＴに流れ込む気流（矢印ＡＲ４３で示された気流）が発生する。このとき第１換気口１４３の第１シャッター１５４と通風路シャッター１０３が閉じられており、第１換気口１４３から流れ込む気流は生じない。その結果、天井裏ＡＴでは、吸気専用の第２換気口１４５から通風路１０２の開口部１０２ａに向かう気流（矢印ＡＲ４４で示された気流）が発生する。
【００８６】
上述のように、午前は、南西から北東に流れる空気の経路が天井裏ＡＴで形成される。その結果、温度の低い西壁９１の周囲の空気を取り入れることができるように共通空間である天井裏ＡＴの空気の経路を変更して空気調和機２１Ａ〜２５Ａの周囲の温度を低くすることができ、空気調和機２１Ａ〜２５Ａの熱源側熱交換器６２の熱交換効率が良くなる。また、午後は、南東から北西に流れる空気の経路が天井裏ＡＴで形成される。その結果、温度の低い東壁９２の周囲の空気を取り入れることができるように天井裏ＡＴの空気の経路を変更して空気調和機２１Ａ〜２５Ａの周囲の温度を低くすることができ、空気調和機２１Ａ〜２５Ａの熱源側熱交換器６２の熱交換効率が良くなる。
【００８７】
なお、セパレート型の空気調和機２１Ａ〜２５Ａでは、第２ケーシング１２０を天井裏ＡＴの任意の場所に設置できる。そこで、例えば、天井裏ＡＴの中心付近ＣＴに強い気流が生じる場合には、図１４（ａ）及び図１４（ｂ）に示されているように、天井裏ＡＴにおいては、空気調和機２１Ａ〜２５Ａを中心付近に寄せて露出させてもよい。
【００８８】
（７−２）一部の空気調和機が異なる運転をする場合
第２実施形態の空調対象空間は、第１実施形態の空調対象空間である部屋ＲＭと異なり、２つの部屋ＲＭ１，ＲＭ２に分かれている。このような場合には、２つの部屋ＲＭ１，ＲＭ２で異なる運転をする場合がある。例えば、部屋ＲＭ１を冷房し、部屋ＲＭ２を暖房する場合である。このような場合には、空気調和機２１Ａ，２３Ａ，２４Ａが冷房運転を行い、空気調和機２２Ａ，２５Ａが暖房運転を行う。コントローラ３０は、例えば、空気調和機２１Ａ，２３Ａ，２４Ａが発揮している空調能力と空気調和機２２Ａ，２５Ａが発揮している空調能力を比較して、天井裏ＡＴの空気を冷やした方がよいか、あるいは暖めた方がよいかを判断する。天井裏ＡＴを冷やした方がよいと判断すれば、コントローラ３０は、冷房運転の場合と同様に天井裏ＡＴの空気の経路を切り換える。逆に、天井裏ＡＴを暖めた方がよいと判断すれば、コントローラ３０は、暖房運転の場合と同様に天井裏ＡＴの空気の経路を切り換える。このような天井裏ＡＴを暖めるか又は冷やすかの判断は、例えば天井裏ＡＴの気温を各空気調和機２１Ａ〜２５Ａの温度センサ７１を用いて検知することで判断してもよい。例えば、天井裏ＡＴの気温が上昇傾向にあれば、西壁９１と東壁９２の周辺の空気のうちの温度の低い方から吸い込み、天井裏ＡＴの気温が下降傾向にあれば、西壁９１と東壁９２の周辺の空気のうちの温度の高い方から吸い込むように、コントローラ３０が、第１換気口１４３と吸気専用の第２換気口１４５の間の空気の経路を切り換えればよい。
【００８９】
（８）変形例
（８−１）変形例２Ａ
上記第２実施形態では、１つの熱源側熱交換器６２に１つの利用側熱交換器６１が接続される場合について説明したが、１つの熱源側熱交換器６２に複数の利用側熱交換器６１が接続されるように構成されてもよい。その場合に複数の利用側熱交換器６１は別々の第１ケーシング１１０に配置されもよい。
【００９０】
（８−２）変形例２Ｂ
上記第２実施形態では、２つの部屋ＲＭ１，ＲＭ２に対して連続した１つの共通空間である天井裏ＡＴに対して空気調和システム１０が排熱を行う場合について説明したが、天井裏ＡＴを部屋ＲＭ１，ＲＭ２に対応して間仕切りを行い、仕切られた天井裏ＡＴの２つの空間に別々に排熱するように構成してもよい。その場合に、間仕切りに換気口を設けて換気ファン及び／またはシャッターを配置してもよい。
【００９１】
（８−３）変形例２Ｃ
上記第２実施形態では、第１換気口１４３に第１シャッター１５４を設ける場合について説明したが、第１シャッター１５４を取り除いて、第１換気口１４３を第２換気口１４５よりも小さくしてもよい。このように構成して、第２シャッター１５５を閉じれば第１換気口１４３で吸気が行われ、第２シャッター１５５を開けば第１換気口１４３だけでなく第２換気口１４５からも吸気されるように設定してもよい。このように構成すれば、１つの第２シャッター１５５だけであっても、空気の経路の切換を行うことができる。同様に、第１シャッター１５４をそのままにして第２シャッター１５５を取り除き、第２換気口１４５を第１換気口１４３よりも小さくしてもよい。
【００９２】
＜第３実施形態＞
（９）全体構成
本発明の第３実施形態に係る空気調和システムについて図１８（ａ）及び図１８（ｂ）を用いて説明する。上述の第２実施形態の空気調和システム１０では、第２換気部１４２の排気専用の第２換気口１４６に繋がる通風路１０１，１０２を設ける場合について説明したが、通風路の設け方及び通風路の切り換えはこのような形態に限られるものではない。
【００９３】
図１８（ａ）に示されている第３実施形態の空気調和システム１０は、複数（ここでは５台）の一体型の空気調和機２１〜２５とコントローラ３０と２台の換気ファン２３１，２３２と第１温度センサ５１及び第２温度センサ５２と第１換気部１４１と第２換気部１４２と２つのダクト２０１，２０２と通風路シャッター２５３，２５４，２５７，２５８を備えている。
【００９４】
（１０）詳細構成
（１０−１）一体型の空気調和機２１〜２５
第３実施形態の一体型の空気調和機２１〜２５は、互いに異なる構造の機器とすることもできるが、ここでは全て同じ構造の機器で構成されているものとして説明する。つまり、第３実施形態の一体型の空気調和機２１〜２５は、第１実施形態の空気調和機２１〜２５と同様の構成を有する。
【００９５】
（１０−２）第１換気部２４１及び第２換気部２４２
吸気専用の第１換気口２４３及び排気専用の第１換気口２４４は、ビル９０の西壁９１（第１境界の例）に形成されている。吸気専用の第１換気口２４３には第１シャッター２５１が設けられ、排気専用の第１換気口２４４には第１シャッター２５２が設けられている。吸気専用の第１換気口２４３及び排気専用の第１換気口２４４にはダクト２０１が接続されている。ダクト２０１は、西壁９１に沿って南北に延びており、北側において天井裏ＡＴに向かって開口した開口部２０３と南側において天井裏ＡＴに向かって開口した開口部２０４とを有している。開口部２０３には通風路シャッター２５３が設けられ、開口部２０４には通風路シャッター２５４が設けられている。吸気専用の第１換気口２４３及び排気専用の第１換気口２４４、ダクト２０１、第１シャッター２５１，２５２並びに通風路シャッター２５３，２５４は第１換気部２４１を構成する。なお、第１換気部２４１においては、例えば、ダクト２０１によって第１換気口２４３と開口部２０４とをつなぐ通風路と第１換気口２４４と開口部２０３とをつなぐ通風路を切換可能に構成されている。
【００９６】
吸気専用の第２換気口２４５及び排気専用の第２換気口２４６は、ビル９０の東壁９２（第２境界の例）に形成されている。吸気専用の第２換気口２４５には第２シャッター２５５が設けられ、排気専用の第２換気口２４６には第２シャッター２５６が設けられている。吸気専用の第２換気口２４５及び排気専用の第２換気口２４６にはダクト２０２が接続されている。ダクト２０２は、東壁９２に沿って南北に延びており、北側において天井裏ＡＴに向かって開口した開口部２０５と南側において天井裏ＡＴに向かって開口した開口部２０６とを有している。開口部２０５には通風路シャッター２５７が設けられ、開口部２０６には通風路シャッター２５８が設けられている。吸気専用の第２換気口２４５及び排気専用の第２換気口２４６、ダクト２０２、第２シャッター２５５，２５６並びに通風路シャッター２５７，２５８は第２換気部２４２を構成する。なお、第２換気部２４２においては、例えば、ダクト２０２によって第２換気口２４６と開口部２０５とをつなぐ通風路と第２換気口２４５と開口部２０６とをつなぐ通風路を切換可能に構成されている。
【００９７】
この第１換気部２４１においては、吸気専用の第１換気口２４３及び排気専用の第１換気口２４４と吸気専用の第２換気口２４５及び排気専用の第２換気口２４６との間を流れる空気の経路を変更するため、コントローラ３０により第１シャッター２５１，２５２及び通風路シャッター２５３，２５４が制御される。この第２換気部２４２においては、吸気専用の第１換気口２４３及び排気専用の第１換気口２４４と吸気専用の第２換気口２４５及び排気専用の第２換気口２４６との間を流れる空気の経路を変更するため、コントローラ３０により第２シャッター２５５，２５６及び通風路シャッター２５７，２５８が制御される。
【００９８】
（１０−３）換気ファン２３１，２３２
換気ファン２３１は第１換気口２４３，２４４の近傍に設けられ、換気ファン２３２は第２換気口２４５，２４６の近傍に設けられている。換気ファン２３１，２３２には、例えば遠心送風機、軸流送風機又は横断流送風機を用いることができる。図１８に示されている換気ファン２３１，２３２は、軸流送風ファンである。換気ファン２３１は、ダクト２０１に取り付けられ、北から南に向かう気流を発生する。また、換気ファン２３２は、ダクト２０２に取り付けられ、北から南に向かう気流を発生する。換気ファン２３１，２３２は、コントローラ３０によりオン・オフ制御されるが、第１換気口１４３と吸気専用の第２換気口１４５及び排気専用の第２換気口１４６との間を流れる空気の経路を変更するための制御には用いられない。
【００９９】
（１０−４）コントローラ３０
第３実施形態のコントローラ３０が第１実施形態のコントローラ３０と異なる点は、吸気専用の第１換気口２４３及び排気専用の第１換気口２４４と吸気専用の第２換気口２４５及び排気専用の第２換気口２４６との間を流れる空気の経路を変更する制御のために、換気ファン２３１，２３２の切換を行わず、第１シャッター２５１，２５２、第２シャッター２５５，２５６、及び通風路シャッター２５３，２５４，２５７，２５８の制御を行う点である。コントローラ３０は、空気調和機２１〜２５の各制御部２１ａ〜２５ａに接続されている。コントローラ３０は、換気ファン２３１，２３２の制御部（図示せず）、第１シャッター２５１，２５２、第２シャッター２５５，２５６、及び通風路シャッター２５３，２５４，２５７，２５８にも接続されている。例えば、コントローラ３０のメモリ３２には、後述する第２実施形態の空気調和システム１０の動作を制御するためのプログラムが記憶されている。
【０１００】
（１１）全体動作
第１実施形態で説明したように、全ての空気調和機２１〜２５の暖房運転時と冷房運転時では天井裏ＡＴを暖かくするべきか冷たくすべきかの違いがあるだけであるため、例えば、吸気専用の第１換気口２４３及び排気専用の第１換気口２４４と吸気専用の第２換気口２４５及び排気専用の第２換気口２４６の間の空気の流れを逆向きにすればよい。そこで、第３実施形態の全体動作では、冷房運転を例に挙げて説明して、暖房運転の全体動作については説明を省略する。また、第１実施形態と同様の効果を奏するので、空気の経路を変更する効果についても説明を省略する。
【０１０１】
コントローラ３０は、一体型の空気調和機２１〜２５の制御を行っており、空気調和機２１〜２５が冷房運転を実施していて、空気調和機２１〜２５から天井裏ＡＴには温風が吹き出されている状態を認識できる。このとき並行して、コントローラ３０は、第１温度センサ５１と第２温度センサ５２の検知温度から、ビル９０の西壁９１の周囲の空気の温度と東壁９２の周囲の空気の温度の高低を認識している。コントローラ３０は、西壁９１と東壁９２の周囲の空気の温度の低い方から空気を取り入れるため、吸気専用の第１換気口２４３と吸気専用の第２換気口２４５のうち、周囲の空気の温度の高い方を吸気する。
【０１０２】
午前は例えば東壁９２に日光が当たって東壁９２の周囲の空気の温度が高いとすると、コントローラ３０は、吸気専用の第１換気口２４３の第１シャッター２５１、通風路シャッター２５４，２５７及び排気専用の第２換気口２４６の第２シャッター２５６を開き、排気専用の第１換気口２４４の第１シャッター２５２、通風路シャッター２５３，２５８及び吸気専用の第２換気口２４５の第２シャッター２５５を閉じる。このとき換気ファン２３１が駆動しており、屋外９９から吸気専用の第１換気口２４３、ダクト２０１及び開口部２０４を通って天井裏ＡＴに吹き出す、図１８（ａ）に矢印ＡＲ４５で示されている気流が発生する。天井裏ＡＴでは、開口部２０４から開口部２０５に向かう気流（矢印ＡＲ４６で示されている気流）が発生する。また、換気ファン２３２が駆動しており、天井裏ＡＴから開口部２０５、ダクト２０２及び排気専用の第２換気口２４６を通って屋外９９に吹き出す気流（矢印ＡＲ４７で示されている気流）が発生する。
【０１０３】
午後は例えば西壁９１に日光が当たって西壁９１の周囲の空気の温度が高いとすると、コントローラ３０は、吸気専用の第２換気口２４５の第２シャッター２５５、通風路シャッター２５３，２５８及び排気専用の第１換気口２４４の第１シャッター２５２を開き、排気専用の第２換気口２４６の第２シャッター２５６、通風路シャッター２５４，２５７及び吸気専用の第１換気口２４３の第１シャッター２５１を閉じる。このとき換気ファン２３２が駆動しており、屋外９９から吸気専用の第２換気口２４５、ダクト２０２及び開口部２０６を通って天井裏ＡＴに吹き出す、図１８（ｂ）に矢印ＡＲ４８で示されている気流が発生する。天井裏ＡＴでは、開口部２０６から開口部２０３に向かう気流（矢印ＡＲ４９で示されている気流）が発生する。また、換気ファン２３１が駆動しており、天井裏ＡＴから開口部２０３、ダクト２０１及び排気専用の第１換気口２４４を通って屋外９９に吹き出す気流（矢印ＡＲ５０で示されている気流）が発生する。
【０１０４】
（１２）変形例
（１２−１）変形例３Ａ
上記第３実施形態では、天井裏ＡＴの空気の経路の変更のためには換気ファン２３１，２３２をオンとオフとを切り換えず、空気の経路の変更を第１シャッター２５１，２５２及び第２シャッター２５５，２５６並びに通風路切換装置である通風路シャッター２５３，２５４，２５７，２５８を用いる場合について説明した。しかし、さらに換気ファンを用いて天井裏ＡＴの空気の経路を変更してもよい。
【０１０５】
例えば、図１９（ａ）及び図１９（ｂ）に示されているように、図１８（ａ）に示されていた吸気専用の第１換気口２４３と排気専用の第１換気口２４４を吸気と排気を行う第１換気口２６１，２６２に変更し、吸気専用の第２換気口２４５と排気専用の第２換気口２４６を吸気と排気を行う第２換気口２６３，２６４に変更する。そのために、図１８（ａ）に示されていた換気ファン２３１，２３２を取り除いて、排気ファンである第１換気ファン２７１を第１換気口２６１に設け、第１換気ファン２７２を第１換気口２６２に設け、排気ファンである第２換気ファン２７３を第２換気口２６３に設け、第２換気ファン２７４を第２換気口２６４に設ける。そして、コントローラ３０は、第１換気ファン２７１，２７２、第２換気ファン２７３，２７４、第１シャッター２５１，２５２、第２シャッター２５５，２５６、及び通風路シャッター２５３，２５４，２５７，２５８の制御を行う。
【０１０６】
図１９（ａ）のように構成された変形例３Ａの空気調和システム１０は、図１８（ａ）に示された第３実施形態の空気調和システム１０に比べて天井裏ＡＴの空気の経路の変更のバリエーションを増やすことができる。
【０１０７】
例えば、第１シャッター２５１、通風路シャッター２５４，２５７及び第２シャッター２５６を開き、第１シャッター２５２、通風路シャッター２５３，２５８及び第２シャッター２５５を閉じ、第２換気ファン２７４を駆動し、第１換気ファン２７１，２７２及び第２換気ファン２７３を停止すれば、図１８（ａ）と同じような空気の経路に変更できる。また、第２シャッター２５５、通風路シャッター２５３，２５８及び第１シャッター２５２を開き、第２シャッター２５６、通風路シャッター２５４，２５７及び第１シャッター２５１を閉じ、第１換気ファン２７２を駆動し、第１換気ファン２７１及び第２換気ファン２７３，２７４を停止すれば、図１８（ｂ）と同じような空気の経路に変更できる。
【０１０８】
上記のような空気の経路以外に、全てのシャッター、つまり第１シャッター２５１，２５２、通風路シャッター２５３，２５４，２５７，２５８及び第２シャッター２５５，２５６を開き、第２換気ファン２７４を駆動し、第１換気ファン２７１，２７２及び第２換気ファン２７３を停止すれば、図１９（ａ）に示されているように、全体的に西から東に向かう空気の経路に変更することができる。また、第１シャッター２５１、通風路シャッター２５３，２５７及び第２シャッター２５５を開き、第１シャッター２５２、通風路シャッター２５４，２５８及び第２シャッター２５６を閉じ、第１換気ファン２７１を駆動し、第１換気ファン２７２及び第２換気ファン２７３，２７４を停止すれば、図１９（ｂ）に示されているように、主に北側において東から西に向かう空気の経路に変更することができる。
【０１０９】
（１３）特徴
（１３−１）
上述の空気調和システム１０は、第１換気口と第２換気口との間を流れる空気の共通空間内における経路を変更するため、いずれも制御装置であるコントローラ３０が第１換気部、第２換気部及び換気ファンのうちの少なくとも一つを制御している。空気経路変更のためコントローラ３０により換気ファンのみが制御されているのは、第１実施形態（第１換気ファン４６と第２換気ファン４７）及び変形例１Ｅ（第１換気ファン４６と第２換気ファン４７と第３換気ファン８１）である。空気経路変更のためコントローラ３０により第１換気部と第２換気部のいずれか一方のみが制御されているのは、変形例２Ｃ（第１換気部１４１及び第２換気部１４２のいずれか一方のみ）である。空気経路変更のためコントローラ３０により第１換気部と第２換気部のいずれか一方と換気ファンが制御されているのは、変形例１Ｊ（第１換気ファン４６と第２換気ファン４７と第１換気部４１又は第１換気ファン４６と第２換気ファン４７と第２換気部４２）である。空気経路変更のためコントローラ３０により第１換気部と第２換気部が制御されているのは、第２実施形態（第１換気部１４１と第２換気部１４２）と第３実施形態（第１換気部２４１と第２換気部２４２）である。空気経路変更のためコントローラ３０により第１換気部、第２換気部及び換気ファンが制御されているのは、変形例１Ｃと変形例１Ｄ（第１換気部４１と第２換気部４２と第１換気ファン４６と第２換気ファン４７）及び変形例３Ａ（第１換気ファン２７１，２７２、第２換気ファン２７３，２７４、第１換気部２４１及び第２換気部２４２）である。空気経路変更のためコントローラ３０により第１換気部、第２換気部及び換気ファン並びにそれ以外の機器が制御されているのは、変形例１Ｆ（第１換気部４１と第２換気部４２と第３換気部８４と第１換気ファン４６と第２換気ファン４７と第３換気ファン８１）である。
【０１１０】
また、第１実施形態乃至第３実施形態の空気調和システム１０においては、第１温度センサ５１及び第２温度センサ５２で検知される屋外９９の気温に基づいて、空気調和機２１〜２５，２１Ａ〜２５Ａの周囲の共通空間である天井裏ＡＴの気温を熱源側熱交換器６２にとって適切なものとなるように天井裏ＡＴ内における空気の経路を変更している。変形例１Ｃの空気調和システム１０においては、第１温度センサ５１及び第２温度センサ５２並びに温度センサ７１で検知される天井裏ＡＴ内の気温及び屋外９９の気温に基づいて、空気調和機２１〜２５の周囲の天井裏ＡＴの気温を熱源側熱交換器６２にとって適切なものとなるように天井裏ＡＴ内における空気の経路を変更している。変形例１Ｇの空気調和システム１０においては、温度センサ７１で検知される天井裏ＡＴ内の気温に基づいて、空気調和機２１〜２５の周囲の天井裏ＡＴの気温を熱源側熱交換器６２にとって適切なものとなるように天井裏ＡＴ内における空気の経路を変更している。変形例１Ｉの空気調和システム１０においては、温度センサを用いずに、例えば予め行われた実地検証又はシミュレーション結果から与えられる共通空間内の気温及び／又は共通空間の周囲の屋外の気温に基づいて、空気調和機２１〜２５の周囲の天井裏ＡＴの気温を熱源側熱交換器６２にとって適切なものとなるように天井裏ＡＴ内における空気の経路を変更している。なお、共通空間は、天井裏ＡＴに限られるものではなく、例えばビルの上下の階の天井裏をつなぐ吹き抜け又は部屋と部屋の間の壁を２重にしてその中に設けられた２つの壁の隙間であってもよい。
【０１１１】
上述のような構成を有する空気調和システム１０では、複数の空気調和機２１〜２５，２１Ａ〜２５Ａの周囲の温度が適切なものとなって複数の空気調和機２１〜２５，２１Ａ〜２５Ａの熱源側熱交換器６２の熱交換の効率が良くなり、空気調和システム１０の熱交換効率が向上する。
【０１１２】
（１３−２）
第１実施形態の空気調和システム１０では図２（ａ）と図２（ｂ）に示されている空気の流れを切り換えることで、また変形例１Ｅの空気調和システム１０では例えば図１０（ａ）と図１０（ｂ）に示されている空気の流れを切り換えることで、さらに変形例１Ｆの空気調和システム１０では例えば図１２（ａ）と図１２（ｂ）に示されている空気の流れを切り換えることで、第２換気口４４から第１換気口４３への空気の流れと第１換気口４３から第２換気口４４への空気の流れとを切り換えることができる。また、第３実施形態の空気調和システム１０では図１８（ａ）と図１８（ｂ）に示されている空気の流れを切り換えることで、吸気専用の第２換気口２４５から排気専用の第１換気口２４４への空気の流れと吸気専用の第１換気口２４３から排気専用の第２換気口２４６への空気の流れとを切り換えることができ、また図１９（ａ）及び図１９（ｂ）に示されている変形例３Ａの空気調和システム１０の構成では、第２換気口２６３，２６４から第１換気口２６１，２６２への空気の流れと第１換気口２６１，２６２から第２換気口２６３，２６４への空気の流れとを切り換えることができる。例えば、空気調和システム１０が冷房を行っている場合に、第２換気口４４，２４５，２６３，２６４から流入する空気の温度の方が低ければ第１換気口４３，２４３，２６１，２６２から第２換気口４４，２４６，２６３，２６４に向かう空気の流れを変更して第２換気口４４，２４５，２６３，２６４から第１換気口４３，２４４，２６１，２６２に空気を流すことで温度の低い方の空気を取り入れることができ、共通空間を効率良く冷やして熱交換効率を向上させることができる。逆に、空気調和システム１０が冷房を行っている場合に、第１換気口４３，２４３，２６１，２６２から流入する空気の温度の方が低ければ第２換気口４４，２４６，２６３，２６４から第１換気口４３，２４３，２６１，２６２に向かう空気の流れを変更して第１換気口４３，２４４，２６１，２６２から第２換気口４４，２４５，２６３，２６４に空気を流すことで温度の低い方の空気を取り入れることができ、共通空間を効率良く冷やして熱交換効率を向上させることができる。暖房の場合には冷房の場合とは逆に、高温の空気を流入させるように変更することで、共通空間を効率良く暖めて熱交換効率を向上させることができる。
【０１１３】
（１３−３）
図６に示されている変形例１Ｃの空気調和システム１０及び図８に示されている変形例１Ｄの空気調和システム１０では、例えば熱源側熱交換器６２が放熱しているときに屋外から暖かい空気が入って熱交換効率が低下したり熱源側熱交換器６２が吸熱しているときに屋外から冷たい空気が入って熱交換効率が低下したりするのを防ぐために、第１シャッター４８，４８ａ，４８ｂ，４８ｃ及び第２シャッター４９，４９ａ，４９ｂ，４９ｃを閉じることができる。また、図１２（ａ）及び図１２（ｂ）に示されている変形例１Ｆの空気調和システム１０、図１８（ａ）及び図１８（ｂ）に示されている第３実施形態の空気調和システム１０並びに図１９（ａ）及び図１９（ｂ）に示されている変形例３Ａの空気調和システム１０では、第１換気口４３，２４３，２４４，２６１，２６２を通して空気を流通させない方が好ましければ第１換気口４３，２４３，２４４，２６１，２６２のみを閉じることができ、第２換気口４４，２４５，２４６，２６３，２６４を通して空気を流通させない方が好ましければ第２換気口４４，２４５，２４６，２６３，２６４のみを閉じることができ、両方を通して空気を流通させない方が好ましければ両方を閉じることができる。図１４（ｂ）に示されている第２実施形態の空気調和システム１０では、第１換気口１４３を通して空気を流通させない方が好ましければ第１換気口１４３のみを閉じることができる。その結果、第１換気口４３，２４３，２４４，２６１，２６２の近傍の屋外、第２換気口４４，２４５，２４６，２６３，２６４の近傍の屋外及び共通空間である天井裏ＡＴの空気の温度状況によって熱交換効率が低下するのを抑制することができる。
【０１１４】
（１３−４）
第２実施形態の空気調和システム１０には、第１シャッター１５４と第２シャッター１５５が設けられ、制御装置であるコントローラ３０は、第１シャッター１５４及び第２シャッター１５５の両方の開閉の切り換えを制御することにより、第１換気口１４３と第２換気口１４５との間を流れる空気の共通空間内における経路を変更するように構成されている。第３実施形態の空気調和システム１０には、第１シャッター２５１，２５２と第２シャッター２５５，２５６が設けられ、コントローラ３０は、第１シャッター２５１，２５２及び第２シャッター２５５，２５６の両方の開閉の切り換えを制御することにより、第１換気口２４３，２４４と第２換気口２４５，２４６との間を流れる空気の共通空間内における経路を変更するように構成されている。また、変形例２Ｃの空気調和システム１０には、第１シャッター１５４及び第２シャッター１５５のうちのいずれか一方が設けられる場合が示されている。第２実施形態及び第３実施形態の空気調和システム１０では、換気ファン１３０，２３１，２３２が空気の経路の変更に関係なく駆動されているので、換気ファン１３０，２３１，２３２の起動回数を減らして消費電力の増加を抑えることができる。例えば、第２実施形態の空気調和システム１０では、第１シャッター１５４及び第２シャッター１５５が必要になるが、それらの構造は比較的簡単であり、換気ファン１３０が１つで済むので、簡単で安価な構成によって熱交換効率の向上を実現した空気調和システム１０を提供することができる。
【０１１５】
（１３−５）
第１実施形態の空気調和システム１０は、第１換気ファン４６と第２換気ファン４７とを備えている。第１実施形態の空気調和システム１０は、このような構成により、第１換気ファン４６と第２換気ファン４７の送風を行う状態と送風を止める状態を切り換えることによって空気の共通空間内における経路を変更することから、図２（ａ）と図２（ｂ）に示されているように、東から西に向かう流れと西から東に向かう流れのように流れを逆転させるような大きな経路の変更が容易に実現されている。このように、第１換気ファン４６と第２換気ファン４７の制御により、所望の空気の経路に変更し易くなっている。変形例１Ｅの空気調和システム１０は、第１換気ファン４６と第２換気ファン４７に加えて、第３換気ファン８１を備えている。このように、第３換気ファン８１を加えることで、空気経路の変更のバリエーションを増やすことができる。また、変形例３Ａの空気調和システム１０は、複数の第１換気ファン２７１，２７２と複数の第２換気ファン２７３，２７４とを備えている。このように、このように、第１換気ファン２７１，２７２及び／または第２換気ファン２７３，２７４を増やすことで、空気経路の変更のバリエーションを増やすことができる。
【０１１６】
（１３−６）
第２実施形態の空気調和システム１０では、第２換気部１４２が、第２換気口１４６に続く複数の通風路１０１，１０２を切り換えるための第２通風路切換装置として通風路シャッター１０３，１０４を有している。第２実施形態で説明したように、同様の構成を第１換気部１４１が有するように構成することもできる。また、第３実施形態の空気調和システム１０では、第１換気部２４１が第１通風路切換装置として通風路シャッター２５３，２５４と第２換気部２４２が第２通風路切換装置として通風路シャッター２５７，２５８を有している。通風路シャッター１０３，１０４，２５３，３５４，２５７，２５８による通風路切換時に換気ファン１３０，２３１，２３２を止めることなく、天井裏ＡＴの空気の経路を変更することができる。その結果、天井裏ＡＴ内における空気の経路を変更するための換気ファン１３０，２３１，２３２の起動に伴う消費電力の増加を抑制できる。また、第１換気口２６１，２６２に続く複数の通風路及び／または第２換気口１４６，２６３，２６４に続く複数の通風路によって天井裏ＡＴの内部で通風路の開口部１０１ａ，１０２ａ、２０３〜２０６の向きと位置を定めることができることから、天井裏ＡＴ内における空気の経路の設計の自由度が増え、空気調和システム１０の熱交換効率を向上させることのできる空気の経路を設定し易くなる。
【０１１７】
（１３−７）
上述の空気調和システム１０の制御装置であるコントローラ３０は、熱源側熱交換器６２が放熱する例えば冷房運転の場合には第１換気口４３，１４３，２４３，２６１，２６２と第２換気口４４，１４５，２４５，２６３，２６４のうち屋外９９の気温が低い側から吸気するように、第１換気口４３，１４３，２４３，２６１，２６２と第２換気口４４，１４５，２４５，２６３，２６４との間を流れる天井裏ＡＴの空気の経路を変更することから、熱源側熱交換器６２の放熱の場合には天井裏ＡＴを冷やし易くなる。また、熱源側熱交換器６２が吸熱する例えば暖房運転の場合には第１換気口４３，１４３，２４３，２６１，２６２と第２換気口４４，１４５，２４５，２６３，２６４のうち屋外９９の気温が高い側から吸気するように、第１換気口４３，１４３，２４３，２６１，２６２と第２換気口４４，１４５，２４５，２６３，２６４との間を流れる空気の天井裏ＡＴ内における経路を変更することから、熱源側熱交換器６２の吸熱の場合には天井裏ＡＴを暖め易くなる。その結果、熱源側熱交換器６２の放熱のときには天井裏ＡＴの気温を低くして熱交換効率を上げ、熱源側熱交換器６２の吸熱のときには天井裏ＡＴの気温を高くして熱交換効率を上げることができる。
【０１１８】
なお、空気調和機の運転は、冷房運転及び暖房運転以外の運転であってもよく、例えば除湿運転であってもよい。例えば、全ての空気調和機が除湿運転をする場合に、空気の経路の切換は、共通空間への吹き出される空気が共通空間の空気の温度より高い温風であるか共通空間の空気の温度より低い冷風であるかで判断してもよい。
【符号の説明】
【０１１９】
１０  空気調和システム
２１〜２５，２１Ａ〜２５Ａ  空気調和機
３０  コントローラ（制御装置の例）
４６，２７１，２７２  第１換気ファン
４７，２７３，２７４  第２換気ファン
４３，１４３，２４３，２４４，２６１，２６２  第１換気口
４４，１４５，１４６，２４５，２４６，２６３，２６４  第２換気口
４１，１４１，２４１  第１換気部
４２，１４２，２４２  第２換気部
４８，４８ａ〜４８ｃ，１５４，２５１，２５２  第１シャッター
４９，４９ａ〜４９ｃ，１５５，２５５，２５６  第２シャッター
６１  利用側熱交換器
６２  熱源側熱交換器
６３  熱源側ファン
８１  第３換気ファン
２５３，２５４  通風路シャッター（第１通風路切換装置の例）
１０３，１０４，２５７，２５８  通風路シャッター（第２通風路切換装置の例）
１３０，２３１，２３２  換気ファン
【先行技術文献】
【特許文献】
【０１２０】
【特許文献１】特開昭４８−２７５６号公報
【図１】
2018096600.tif 000003
【図２】
2018096600.tif 000004
【図３】
2018096600.tif 000005
【図４】
2018096600.tif 000006
【図５】
2018096600.tif 000007
【図６】
2018096600.tif 000008
【図７】
2018096600.tif 000009
【図８】
2018096600.tif 000010
【図９】
2018096600.tif 000011
【図１０】
2018096600.tif 000012
【図１１】
2018096600.tif 000013
【図１２】
2018096600.tif 000014
【図１３】
2018096600.tif 000015
【図１４】
2018096600.tif 000016
【図１５】
2018096600.tif 000017
【図１６】
2018096600.tif 000018
【図１７】
2018096600.tif 000019
【図１８】
2018096600.tif 000020
【図１９】
2018096600.tif 000021